(57)【特許請求の範囲】
【請求項１】
ワイヤレス通信の方法であって、
ユーザ機器（ＵＥ）において、前記ＵＥによって１つまたは複数のアップリンク制御信号を送信するための複数の物理アップリンク制御チャネル（ＰＵＣＣＨ）の構成を受信することと、
前記ＵＥによって、前記構成に基づいて前記複数のＰＵＣＣＨを生成することと、ここにおいて、前記複数のＰＵＣＣＨの各々は、前記ＵＥとマルチフロー通信する複数のノードのうちの対応する１つのノードについて生成される、
前記ＵＥによって、前記複数のＰＵＣＣＨの各々を前記複数のノードのうちの前記対応する１つのノードに送信することとを備え、
前記ＵＥが前記複数のノードのうちの第１のノードとそれを通じて通信する１つまたは複数のコンポーネントキャリア（ＣＣ）は、前記ＵＥが前記複数のノードのうちの第２のノードとそれを通じて通信する１つまたは複数の追加のＣＣとは異なるタイミング調整グループ（ＴＡＧ）内にある、ワイヤレス通信の方法。
【請求項２】
前記構成は、無線リソース制御（ＲＲＣ）メッセージを介して受信される、請求項１に記載の方法。
【請求項３】
前記構成は、前記複数のノード内の各ノードのための１つのアップリンクコンポーネントキャリアをプライマリコンポーネントキャリア（ＰＣＣ）として指定する、請求項１に記載の方法。
【請求項４】
前記複数のＰＵＣＣＨを送信することは、前記複数のノードのうちの前記対応する１つのノードのためのＰＣＣとして指定されたアップリンクコンポーネントキャリア上で、前記複数のノードのうちの前記対応する１つのノードに関連付けられる制御情報を送信することを備える、請求項３に記載の方法。
【請求項５】
前記ＵＥと通信する第１のノードに対して指定されるＰＣＣは、前記ＵＥと通信する第２のノードに対して指定されるＰＣＣとは異なるタイミングアドバンスグループ（ＴＡＧ）に属する、請求項３に記載の方法。
【請求項６】
前記複数のノードは、第１のノードがマクロノードであり、第２のノードがフェムトノード、ピコノードまたはホームｅＮＢのうちの１つであるような、異なる電力クラスのノードを備える、請求項５に記載の方法。
【請求項７】
前記構成は、前記複数のノードにおける少なくとも１つのノードのコンポーネントキャリアに対するキャリアアグリゲーション構成を備える、請求項５に記載の方法。
【請求項８】
ワイヤレス通信のために構成された装置であって、
ユーザ機器（ＵＥ）において、前記ＵＥによって１つまたは複数のアップリンク制御信号を送信するための複数の物理アップリンク制御チャネル（ＰＵＣＣＨ）の構成を受信するための手段と、
前記ＵＥによって、前記構成に基づいて前記複数のＰＵＣＣＨを生成するための手段と、ここにおいて、前記複数のＰＵＣＣＨの各々は、前記ＵＥとマルチフロー通信する複数のノードのうちの対応する１つのノードについて生成される、
前記ＵＥによって、前記複数のＰＵＣＣＨの各々を前記複数のノードのうちの前記対応する１つのノードに送信するための手段とを備え、
前記ＵＥが前記複数のノードのうちの第１のノードとそれを通じて通信する１つまたは複数のコンポーネントキャリア（ＣＣ）は、前記ＵＥが前記複数のノードのうちの第２のノードとそれを通じて通信する１つまたは複数の追加のＣＣとは異なるタイミング調整グループ（ＴＡＧ）内にある、ワイヤレス通信のために構成された装置。
【請求項９】
前記構成は、無線リソース制御（ＲＲＣ）メッセージを介して受信される、請求項８に記載の装置。
【請求項１０】
前記構成は、前記複数のノード内の各ノードのための１つのアップリンクコンポーネントキャリアをプライマリコンポーネントキャリア（ＰＣＣ）として指定する、請求項８に記載の装置。
【請求項１１】
前記複数のＰＵＣＣＨを送信するための手段は、前記複数のノードのうちの前記対応する１つのノードのためのＰＣＣとして指定されたアップリンクコンポーネントキャリア上で、前記複数のノードのうちの前記対応する１つのノードに関連付けられる制御情報を送信するための手段を備える、請求項１０に記載の装置。
【請求項１２】
前記ＵＥと通信する第１のノードに対して指定されるＰＣＣは、前記ＵＥと通信する第２のノードに対して指定されるＰＣＣとは異なるタイミングアドバンスグループ（ＴＡＧ）に属する、請求項１０に記載の装置。
【請求項１３】
前記複数のノードは、第１のノードがマクロノードであり、第２のノードがフェムトノード、ピコノードまたはホームｅＮＢのうちの１つであるような、異なる電力クラスのノードを備える、請求項１２に記載の装置。
【請求項１４】
前記構成は、前記複数のノードにおける少なくとも１つのノードのコンポーネントキャリアに対するキャリアアグリゲーション構成を備える、請求項１２に記載の装置。
【請求項１５】
プログラムコードを記録した非一時的コンピュータ可読媒体であって、前記プログラムコードは、
ユーザ機器（ＵＥ）において、前記ＵＥによって１つまたは複数のアップリンク制御信号を送信するための複数の物理アップリンク制御チャネル（ＰＵＣＣＨ）の構成を受信することを、コンピュータに実行させるためのプログラムコードと、
前記ＵＥによって、前記構成に基づいて前記複数のＰＵＣＣＨを生成することを、前記コンピュータに実行させるためのプログラムコードと、ここにおいて、前記複数のＰＵＣＣＨの各々は、前記ＵＥとマルチフロー通信する複数のノードのうちの対応する１つのノードについて生成される、
前記ＵＥによって、前記複数のＰＵＣＣＨの各々を前記複数のノードのうちの前記対応する１つのノードに送信することを、前記コンピュータに実行させるためのプログラムコードとを備え、
前記ＵＥが前記複数のノードのうちの第１のノードとそれを通じて通信する１つまたは複数のコンポーネントキャリア（ＣＣ）は、前記ＵＥが前記複数のノードのうちの第２のノードとそれを通じて通信する１つまたは複数の追加のＣＣとは異なるタイミング調整グループ（ＴＡＧ）内にある、プログラムコードを記録した非一時的コンピュータ可読媒体。
【請求項１６】
前記構成は、前記複数のノード内の各ノードのための１つのアップリンクコンポーネントキャリアをプライマリコンポーネントキャリア（ＰＣＣ）として指定する、請求項１５に記載の非一時的コンピュータ可読媒体。
【請求項１７】
前記複数のＰＵＣＣＨを送信することを、前記コンピュータに実行させるための前記プログラムコードは、前記複数のノードのうちの前記対応する１つのノードのためのＰＣＣとして指定されたアップリンクコンポーネントキャリア上で、前記複数のノードのうちの前記対応する１つのノードに関連付けられる制御情報を送信することを、前記コンピュータに実行させるためのプログラムコードを備える、請求項１６に記載の非一時的コンピュータ可読媒体。
【請求項１８】
前記ＵＥと通信する第１のノードに対して指定されるＰＣＣは、前記ＵＥと通信する第２のノードに対して指定されるＰＣＣとは異なるタイミングアドバンスグループ（ＴＡＧ）に属する、請求項１６に記載の非一時的コンピュータ可読媒体。
【請求項１９】
前記複数のノードは、第１のノードがマクロノードであり、第２のノードがフェムトノード、ピコノードまたはホームｅＮＢのうちの１つであるような、異なる電力クラスのノードを備える、請求項１８に記載の非一時的コンピュータ可読媒体。
【請求項２０】
前記構成は、前記複数のノードにおける少なくとも１つのノードのコンポーネントキャリアに対するキャリアアグリゲーション構成を備える、請求項１８に記載の非一時的コンピュータ可読媒体。
【請求項２１】
ワイヤレス通信のために構成された装置であって、
少なくとも１つのプロセッサと、
前記少なくとも１つのプロセッサに結合されたメモリとを備え、
前記少なくとも１つのプロセッサは、
ユーザ機器（ＵＥ）において、前記ＵＥによって１つまたは複数のアップリンク制御信号を送信するための複数の物理アップリンク制御チャネル（ＰＵＣＣＨ）の構成を受信することと、
前記ＵＥによって、前記構成に基づいて前記複数のＰＵＣＣＨを生成することと、ここにおいて、前記複数のＰＵＣＣＨの各々は、前記ＵＥとマルチフロー通信する複数のノードのうちの対応する１つのノードについて生成される、
前記ＵＥによって、前記複数のＰＵＣＣＨの各々を前記複数のノードのうちの前記対応する１つのノードに送信することとを実行するように構成され、
前記ＵＥが前記複数のノードのうちの第１のノードとそれを通じて通信する１つまたは複数のコンポーネントキャリア（ＣＣ）は、前記ＵＥが前記複数のノードのうちの第２のノードとそれを通じて通信する１つまたは複数の追加のＣＣとは異なるタイミング調整グループ（ＴＡＧ）内にある、ワイヤレス通信のために構成された装置。
【請求項２２】
前記構成は、無線リソース制御（ＲＲＣ）メッセージを介して受信される、請求項２１に記載の装置。
【請求項２３】
前記構成は、前記複数のノード内の各ノードのための１つのアップリンクコンポーネントキャリアをプライマリコンポーネントキャリア（ＰＣＣ）として指定する、請求項２１に記載の装置。
【請求項２４】
前記複数のＰＵＣＣＨを送信することは、前記複数のノードのうちの前記対応する１つのノードのためのＰＣＣとして指定されたアップリンクコンポーネントキャリア上で、前記複数のノードのうちの前記対応する１つのノードに関連付けられる制御情報を送信することを備える、請求項２３に記載の装置。
【請求項２５】
前記ＵＥと通信する第１のノードに対して指定されるＰＣＣは、前記ＵＥと通信する第２のノードに対して指定されるＰＣＣとは異なるタイミングアドバンスグループ（ＴＡＧ）に属する、請求項２３に記載の装置。
【請求項２６】
前記複数のノードは、第１のノードがマクロノードであり、第２のノードがフェムトノード、ピコノードまたはホームｅＮＢのうちの１つであるような、異なる電力クラスのノードを備える、請求項２５に記載の装置。
【請求項２７】
前記構成は、前記複数のノードにおける少なくとも１つのノードのコンポーネントキャリアに対するキャリアアグリゲーション構成を備える、請求項２５に記載の装置。
【発明の詳細な説明】
【技術分野】
【０００１】
（関連出願の相互参照）
[0001]本願は、その全体が参照により本明細書に明確に組み込まれる、２０１２年１１月１２日に出願された「UPLINK CONTROL AND DATA TRANSMISSION IN MULTIFLOW-ENABLED NETWORKS」と題する米国仮特許出願第６１／７２５，３６８号、および２０１２年１１月１２日に出願された「UPLINK TRANSMISSION FOR CARRIER AGGREGATION VIA MULTIPLE NODES」と題する米国仮特許出願第６１／７２５，３９９号の恩典を主張する。
【０００２】
[0002]本開示は、一般に通信に関し、より詳細には、ワイヤレス通信ネットワークにおいて制御情報を送るための技法に関する。
【背景技術】
【０００３】
[0003]ワイヤレス通信ネットワークは、音声、ビデオ、パケットデータ、メッセージ伝送、放送などの様々な通信コンテンツを提供するために広く展開されている。これらのワイヤレスネットワークは、利用可能なネットワークリソースを共有することによってマルチプルなユーザをサポートすることが可能な多元接続ネットワークであり得る。そのような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワークおよびシングルキャリアＦＤＭＡ（ＳＣ−ＦＤＭＡ）ネットワークを含む。
【０００４】
[0004]ワイヤレス通信ネットワークは、複数のユーザ機器（ＵＥ）のための通信をサポートすることができる複数の基地局を含むことができる。ＵＥは、ダウンリンクおよびアップリンクを介して基地局と通信することができる。ダウンリンク（または順方向リンク）は基地局からＵＥへの通信リンクを指しており、アップリンク（または逆方向リンク）はＵＥから基地局への通信リンクを指している。
【０００５】
[0005]ワイヤレス通信ネットワークは、マルチプルなキャリア上での動作をサポートすることができる。キャリアは、通信のために用いられるある範囲の周波数を指し、キャリア上の動作を示すシステム情報において搬送され得る特定の特性に関連付けられ得る。キャリアは、また、コンポーネントキャリア（ＣＣ：component carrier）、周波数チャネル、セルなどと呼ばれることもある。基地局は、ダウンリンクのためのマルチプルなキャリア（またはダウンリンクキャリア）上でデータ送信をＵＥに送ることができる。ＵＥは、マルチプルなダウンリンクキャリア上でのデータ送信をサポートするために、アップリンクのためのキャリア（またはアップリンクキャリア）上で制御情報を送ることができる。
【発明の概要】
【０００６】
[0006]本開示の種々の態様は、方法、装置、コンピュータに様々な動作およびフィーチャを実行させるプログラムコードを含む非一時的コンピュータ可読媒体、ならびに本明細書において説明される動作および機能を実行するように構成されたプロセッサとメモリとを含む装置を対象とする。これらの方法、装置および媒体はそれぞれ本明細書において説明され、添付の図面において示される種々の態様および特徴を具現することができる。そのような例は、本明細書において説明される概念および要素の非限定的な実施態様を提供するにすぎない。
【０００７】
[0007]本開示の更なる態様では、ワイヤレス通信の方法が、ＵＥにおいて、ＵＥによって１つまたは複数のアップリンク制御信号を送信するための複数のアップリンク制御チャネルの構成を受信することと、ＵＥによって、構成に基づいて複数のアップリンク制御チャネルを生成することであって、複数のアップリンク制御チャネルの各々が、ＵＥとマルチフロー通信する複数のノードのうちの対応する１つのノードについて生成され、複数のノードの各々が互いにコロケート（co-located）されていない、生成することと、ＵＥによって、複数のアップリンク制御チャネルの各々を複数のノードのうちの対応する１つのノードに送信することとを含む。
【０００８】
[0008]本開示の更なる態様では、コンピュータプログラム製品が、プログラムコードが記録されているコンピュータ可読媒体を有する。このプログラムコードは、ＵＥにおいて、ＵＥによって１つまたは複数のアップリンク制御信号を送信するための複数のアップリンク制御チャネルの構成を受信するコードと、ＵＥによって、構成に基づいて複数のアップリンク制御チャネルを生成するコードであって、複数のアップリンク制御チャネルの各々が、ＵＥとマルチフロー通信する複数のノードのうちの対応する１つのノードについて生成され、複数のノードの各々が互いにコロケートされていない、生成するコードと、ＵＥによって、複数のアップリンク制御チャネルの各々を複数のノードのうちの対応する１つのノードに送信するコードとを含む。
【０００９】
[0009]本開示の更なる態様では、装置が、少なくとも１つのプロセッサと、プロセッサに結合されたメモリとを含む。プロセッサは、ＵＥにおいて、ＵＥによって１つまたは複数のアップリンク制御信号を送信するための複数のアップリンク制御チャネルの構成を受信することと、ＵＥによって、構成に基づいて複数のアップリンク制御チャネルを生成することであって、複数のアップリンク制御チャネルの各々が、ＵＥとマルチフロー通信する複数のノードのうちの対応する１つのノードについて生成され、複数のノードの各々は互いにコロケートされていない、生成することと、ＵＥによって、複数のアップリンク制御チャネルの各々を複数のノードのうちの対応する１つのノードに送信することとを実施するように構成される。
【図面の簡単な説明】
【００１０】
【図１】モバイル通信システムの一例を概念的に示すブロック図である。
【図２Ａ】ＬＴＥにおけるＦＤＤのための例示的なフレーム構造を示す図である。
【図２Ｂ】ＬＴＥにおける１つのキャリア上のアップリンクに関する例示的な送信構造を示す図である。
【図３Ａ】連続キャリアアグリゲーションの一例を示す図である。
【図３Ｂ】Ｋ個のＣＣが、通信のために利用可能な場合があり、互いに別個であり得る、不連続キャリアアグリゲーションの一例を示す図である。
【図４】キャリアアグリゲーションの一例を示す図である。
【図５】マルチフロー動作のためのシングルＵＬ対応ＵＥ（「Ｘ」）と２つのノードＡおよびＢとの間の通信を示す図である。
【図６】ＴＤＭに基づいてアップリンクＰＣＣ上でマルチプルなノードＡおよびＢに送信するシングルＵＬ対応ＵＥ  Ｘの設計を示す図である。
【図７Ａ】アップリンクＰＣＣ上の２つのノードＡおよびＢのためのＦＤＭの例示的な設計を示す図である。
【図７Ｂ】ＦＤＭに基づいてアップリンクＰＣＣ上でマルチプルなノードＡおよびＢに送信するシングルＵＬ対応ＵＥ  Ｘの設計を示す図である。
【図８Ａ】マルチフロー動作のためのマルチＵＬ対応ＵＥ  Ｙと２つのノードＡおよびＢとの間の通信を示す図である。
【図８Ｂ】マルチフロー動作のためのマルチＵＬ対応ＵＥ  Ｚと２つのノードＡおよびＢとの間の通信を示す図である。
【図９】制御情報を送るためのプロセスの設計を示す図である。
【図１０】制御情報を送るためのプロセスの例示的な設計を示す図である。
【図１１】図１の基地局／ｅＮＢのうちの１つおよびＵＥのうちの１つでありうる、基地局またはｅＮＢおよびＵＥの設計のブロック図である。
【図１２】
【図１３】
【図１４】
【発明を実施するための形態】
【００１１】
[0025]キャリアアグリゲーションをサポートして、コロケートされていないマルチプルなノードに制御情報を送るための技法が、本明細書において開示される。これらの技法は、ＣＤＭＡ、ＴＤＭＡ、ＦＤＭＡ、ＯＦＤＭＡ、ＳＣ−ＦＤＭＡおよび他のワイヤレスネットワークなど、種々のワイヤレス通信ネットワークのために使用され得る。「ネットワーク」および「システム」という用語はしばしば互換的に使用される。ＣＤＭＡネットワークは、ユニバーサル地上波無線アクセス（ＵＴＲＡ：Universal Terrestrial Radio Access）、ＣＤＭＡ２０００などの無線技術を実現することができる。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他の変形を含む。ＣＤＭＡ２０００は、ＩＳ−２０００、ＩＳ−９５およびＩＳ−８５６の標準規格を含む。ＴＤＭＡネットワークは、モバイル通信用グローバルシステム（ＧＳＭ（登録商標）：Global System for Mobile Communications）などの無線技術を実装することができる。ＯＦＤＭＡネットワークは、発展型ＵＴＲＡ（Ｅ−ＵＴＲＡ）、ウルトラモバイルブロードバンド（ＵＭＢ：Ultra Mobile Broadband）、ＩＥＥＥ８０２．１１（Ｗｉ−Ｆｉ（登録商標）およびＷｉ−Ｆｉ  Ｄｉｒｅｃｔ）、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装することができる。ＵＴＲＡ、Ｅ−ＵＴＲＡ、およびＧＳＭは、ユニバーサルモバイルテレコミュニケーションシステム（ＵＭＴＳ：Universal Mobile Telecommunication System）の一部である。３ＧＰＰロングタームエボリューション（ＬＴＥ：Long Term Evolution）およびＬＴＥアドバンスト（ＬＴＥ−Ａ：LTE-Advanced）は、周波数分割複信（ＦＤＤ：frequency division duplexing）と時分割複信（ＴＤＤ：time division duplexing）の両方において、ダウンリンク上ではＯＦＤＭＡを利用し、アップリンク上ではＳＣＦＤＭＡを利用する、Ｅ−ＵＴＲＡを使用するＵＭＴＳの最近のリリースである。ＵＴＲＡ、Ｅ−ＵＴＲＡ、ＧＳＭ、ＵＭＴＳ、ＬＴＥおよびＬＴＥ−Ａは、「第３世代パートナーシッププロジェクト（３ＧＰＰ：3rd Generation Partnership Project）」と命名された団体からの文書に記載されている。ＣＤＭＡ２０００およびＵＭＢは、「第３世代パートナーシッププロジェクト２（３ＧＰＰ２：3rd Generation Partnership Project 2）」と命名された団体からの文書に記載されている。本明細書において説明される技法は、上記のワイヤレスネットワークおよび無線技術、ならびに他のワイヤレスネットワークおよび無線技術のために使用され得る。明確にするために、本技法のいくつかの態様が以下ではＬＴＥに関して説明され、以下の説明の大部分においてＬＴＥ用語が使用される。
【００１２】
[0026]図１は、ＬＴＥネットワークまたは他の何らかのワイヤレスネットワークであり得る、ワイヤレス通信ネットワーク１００を示す。ワイヤレスネットワーク１００は、いくつもの発展型ノードＢ（ｅＮＢ）１１０と、他のネットワークエンティティとを含むことができる。ｅＮＢは、ＵＥと通信する局であり得、ノード、基地局、ノードＢ、アクセスポイントなどと呼ばれることもある。各ｅＮＢ１１０は、特定の地理的エリアに対して通信カバレージを提供することができ、カバレージエリア内に位置するＵＥのための通信をサポートすることができる。３ＧＰＰでは、「セル」という用語は、この用語が使用される状況に応じて、ｅＮＢのカバレッジエリアおよび／またはこのカバレッジエリアにサーブするｅＮＢサブシステムを指し得る。ｅＮＢは、１つまたはマルチプルな（たとえば、３つの）セルをサポートすることができる。
【００１３】
[0027]ｅＮＢは、マクロセル、ピコセル、フェムトセル、および／または他のタイプのセルのための通信カバレージを提供することができる。マクロセルは、比較的大きい地理的エリア（たとえば、半径数キロメートル）をカバーすることができ、サービスに加入しているＵＥによる無制限のアクセスを可能にし得る。ピコセルは、比較的小さい地理的エリアをカバーすることができ、サービスに加入しているＵＥによる無制限のアクセスを可能にし得る。フェムトセルは、比較的小さい地理的エリア（たとえば、家庭）をカバーすることができ、フェムトセルとの関連を有するＵＥ（たとえば、限定加入者グループ（ＣＳＧ：Closed Subscriber Group）中のＵＥ）による制限付きのアクセスを可能にし得る。図１に示される例では、ｅＮＢ１１０ａ、１１０ｂおよび１１０ｃはそれぞれマクロセル１０２ａ、１０２ｂおよび１０２ｃのためのマクロｅＮＢであり得る。ｅＮＢ１１０ｄはピコセル１０２ｄのためのピコｅＮＢであり得る。ｅＮＢ１１０ｅおよび１１０ｆはそれぞれフェムトセル１０２ｅおよび１０２ｆのためのフェムトｅＮＢであり得る。
【００１４】
[0028]ワイヤレスネットワーク１００はリレーを含む場合もある。図１に示される例では、リレー１１０ｒは、ｅＮＢ１１０ａとＵＥ１２０ｒとの間の通信を容易にするために、ｅＮＢ１１０ａおよびＵＥ１２０ｒと通信することができる。
【００１５】
[0029]ネットワークコントローラ１３０は、ｅＮＢのセットに結合し、これらのｅＮＢに協調および制御を提供することができる。ネットワークコントローラ１３０はバックホールを介してｅＮＢと通信することができる。ｅＮＢはまた、たとえば、ワイヤレスバックホールまたは有線バックホールを介して直接または間接的に互いに通信することもできる。
【００１６】
[0030]ＵＥ１２０は、ワイヤレスネットワーク１００全体にわたって分散して配置され、各ＵＥは固定またはモバイルでありうる。ＵＥは、また、端末、移動局、加入者ユニット、局などと呼ばれることもある。ＵＥは、セルラー電話、スマートフォン、タブレット、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、ネットブック、スマートブックなどであり得る。ＵＥは、マクロｅＮＢ、ピコｅＮＢ、フェムトｅＮＢ、リレーなどと通信可能であり得る。
【００１７】
[0031]ワイヤレスネットワーク１００はＦＤＤおよび／またはＴＤＤを利用することができる。ＦＤＤの場合、ダウンリンクおよびアップリンクは、別々の周波数チャネルを割り振られ得る。ダウンリンク送信は１つの周波数チャネル上で送られる場合があり、アップリンク送信は別の周波数チャネル上で送られ得る。ＴＤＤの場合、ダウンリンクおよびアップリンクは同じ周波数チャネルを共有することができ、ダウンリンク送信およびアップリンク送信は、異なる時間期間において同じ周波数チャネル上で送られ得る。
【００１８】
[0032]ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、キャリアのための周波数範囲を複数（ＮFFT個）の直交するサブキャリアに分割し、それらのサブキャリアは通常、トーン、ビンなどとも呼ばれる。各サブキャリアはデータで変調され得る。一般に、変調シンボルは、ＯＦＤＭでは周波数領域で、ＳＣ−ＦＤＭでは時間領域で送られる。隣接するサブキャリアの間の間隔は、決まっている場合があり、サブキャリアの総数（ＮFFT）は、キャリア帯域幅によって決まり得る。たとえば、ＮFFTは、１．４、２．５、５、１０、または２０ＭＨｚのキャリア帯域幅の場合にそれぞれ、１２８、２５６、５１２、１０２４、または２０４８に等しい。キャリア帯域幅は複数の部分帯域に分割される場合もあり、各部分帯域はある周波数範囲、たとえば、１．０８ＭＨｚをカバーすることができる。
【００１９】
[0033]各キャリアに関して利用可能な時間−周波数リソースは、リソースブロックに分割され得る。各スロット内のキャリアごとのリソースブロックの数は、キャリア帯域幅によって決まる場合があり、６から１１０までの範囲に及ぶ場合がある。各リソースブロックは、１スロット内で１２個のサブキャリアをカバーすることができ、いくつかのリソース要素を含むことができる。各リソース要素は、１シンボル期間内で１つのサブキャリアをカバーすることができ、実数値または複素数値であり得る１つの変調シンボルを送るために使用され得る。
【００２０】
[0034]図２Ａは、ＬＴＥにおけるＦＤＤのための例示的なフレーム構造２００を示す。ダウンリンクおよびアップリンクの各々の送信タイムラインは無線フレームの単位に分割され得る。各無線フレームは、所定の持続時間（たとえば、１０ミリ秒（ｍｓ））を有することができ、０〜９のインデックスをもつ１０個のサブフレームに分割され得る。各サブフレームは２個のスロットを含むことができる。したがって、各無線フレームは、０〜１９のインデックスをもつ２０個のスロットを含むことができる。各スロットは、Ｌ個のシンボル期間、たとえば、（図２Ａに示されているように）標準サイクリックプレフィックスの場合は７つのシンボル期間、または拡張サイクリックプレフィックスの場合は６つのシンボル期間を含むことができる。各サブフレーム内の２Ｌ個のシンボル期間は、０〜２Ｌ−１のインデックスが割り当てられ得る。ＦＤＤの場合、ダウンリンクのために使用されるキャリアのための各サブフレームはダウンリンクサブフレームと呼ばれることがある。アップリンクのために使用されるキャリアのための各サブフレームはアップリンクサブフレームと呼ばれることがある。
【００２１】
[0035]ダウンリンクサブフレームは、時分割多重化（ＴＤＭ）され得る、制御領域とデータ領域とを含むことができる。制御領域は、ダウンリンクサブフレームの最初のＱ個のシンボル期間を含むことができ、ここで、Ｑは１、２、３または４に等しいことがあり、サブフレームごとに変化し得る。データ領域は、ダウンリンクサブフレームの残りのシンボル期間を含むことができる。
【００２２】
[0036]セルは、ダウンリンクサブフレームの制御領域において、物理ダウンリンク制御チャネル（ＰＤＣＣＨ：Physical Downlink Control Channel）、物理ＨＡＲＱインジケータチャネル（ＰＨＩＣＨ：Physical HARQ Indicator Channel）、および／または他の物理チャネルを送信することができる。ＰＤＣＣＨは、ダウンリンク許可、アップリンク許可などの、ダウンリンク制御情報（ＤＣＩ：downlink control information）を搬送することができる。ＰＨＩＣＨは、ハイブリッド自動再送信（ＨＡＲＱ：hybrid automatic retransmission）を用いてアップリンク上でＵＥによって送られるデータ送信のための肯定応答／否定応答（ＡＣＫ／ＮＡＣＫ）を搬送することができる。セルは、ダウンリンクサブフレームのデータ領域において物理ダウンリンク共有チャネル（ＰＤＳＣＨ：Physical Downlink Shared Channel）および／または他の物理チャネルを送信することもできる。ＰＤＳＣＨは、ダウンリンク上でのデータ送信のためにスケジュールされたＵＥのためのデータ、および／または他の情報を搬送することができる。
【００２３】
[0037]図２Ｂは、ＬＴＥにおける１つのキャリア上のアップリンクのための例示的な送信構造２５０を示す。アップリンクサブフレームは、周波数分割多重化（ＦＤＭ）され得る、制御領域とデータ領域とを含むことができる。制御セクションは、（図２Ｂに示されるように）キャリア帯域幅の両端で形成される場合があり、構成可能なサイズを有することができる。データセクションは、制御セクションに含まれないすべてのリソースブロックを含むことができる。ＵＥは、物理アップリンク制御チャネル（ＰＵＣＣＨ）上で制御情報を送るために、１つのサブフレームの２つのスロットにおいて制御領域の２つのリソースブロック２１０ａと２１０ｂと（または場合によっては３つ以上のリソースブロック）を割り当てられ得る。それらの２つのリソースブロックは、図２Ｂに示されるように、周波数ホッピングが可能なときには、サブキャリアの異なるセットを占有することができる。ＵＥは、物理アップリンク共有チャネル（ＰＵＳＣＨ）上でデータのみを、またはデータと制御情報の両方を送るために、１つのサブフレームの２つのスロットにおいてデータ領域の２つのリソースブロック２２０ａと２２０ｂと（または場合によっては３つ以上のリソースブロック）を割り当てられ得る。
【００２４】
[0038]ワイヤレスネットワーク１００は、キャリアアグリゲーション（ＣＡ）またはマルチキャリア動作と呼ばれることがある、マルチプルなキャリア上での動作をサポートすることができる。キャリアは、コンポーネントキャリア（ＣＣ：component carrier）、セルなどと呼ばれることもある。「キャリア」、「ＣＣ」、および「セル」という用語は、本明細書において互換的に使用される。ダウンリンクのために使用されるキャリアはダウンリンクＣＣと呼ばれることがあり、アップリンクのために使用されるキャリアはアップリンクＣＣと呼ばれることがある。ＵＥは、キャリアアグリゲーションのために、マルチプルなダウンリンクＣＣと１つまたは複数のアップリンクＣＣとで構成され得る。ｅＮＢは、１つまたは複数のダウンリンクＣＣ上でデータと制御情報とをＵＥに送信することができる。ＵＥは、１つまたは複数のアップリンクＣＣ上でデータと制御情報とをｅＮＢに送信することができる。
【００２５】
[0039]図３Ａは、連続キャリアアグリゲーションの一例を示す。Ｋ個のＣＣが、通信のために利用可能であり、互いに隣接することができ、ここで、Ｋは任意の整数値でありえる。
【００２６】
[0040]図３Ｂは、不連続キャリアアグリゲーションの一例を示す。Ｋ個のＣＣが、通信のために利用可能であり、互いに離れている。
【００２７】
[0041]図４は、キャリアアグリゲーションの一例を示す。ＵＥは、１つのノードと通信するためにＫ個のダウンリンクＣＣ  １〜Ｋと、Ｍ個のアップリンクＣＣ  １〜Ｍとを用いて構成される場合があり、ここで、キャリアアグリゲーションについてはＫ＞１およびＭ＞１である。ノードは、ｅＮＢ、リレー、または何らかの他の送信エンティティであり得る。ＬＴＥリリース１０において、ＵＥは、キャリアアグリゲーションのためにダウンリンクおよびアップリンクの各々について最大で５個までのＣＣを用いて構成され得る。各ＣＣは、最大で２０ＭＨｚの帯域幅を有することができ、ＬＴＥリリース８との後方互換性を有することができる。したがって、ＵＥは、ダウンリンクおよびアップリンクのそれぞれにおいて最大で５個までのＣＣにわたって最大で１００ＭＨｚで構成され得る。
【００２８】
[0042]１つの設計では、１つのダウンリンクＣＣが、ダウンリンクプライマリＣＣ（ＰＣＣ：primary CC）として指定される場合があり、残りの各ダウンリンクＣＣがダウンリンクセカンダリＣＣ（ＳＣＣ：secondary CC）と呼ばれることがある。同様に、１つのアップリンクＣＣが、アップリンクＰＣＣとして指定される場合があり、残りの各アップリンクＣＣがアップリンクＳＣＣと呼ばれることがある。プライマリＣＣはプライマリセル（Ｐセル）と呼ばれる場合もあり、セカンダリＣＣはセカンダリセル（Ｓセル）と呼ばれる場合もある。ダウンリンクＰＣＣおよびアップリンクＰＣＣは、無線リソース制御（ＲＣＣ）のような上位層によってＵＥに関して半静的に構成され得る。ノードがダウンリンクＰＣＣ上でＵＥに特定の情報（たとえば、許可）を送信することができ、ＵＥは、アップリンクＰＣＣ上でノードに特定の情報（たとえば、制御情報）を送信することができる。１つの設計では、ＵＥは、アップリンクＰＣＣ上でＰＵＳＣＨおよび／またはＰＵＣＣＨを送信することができ、アップリンクＳＣＣ上でＰＵＳＣＨのみを送信することができる。
【００２９】
[0043]ＵＥが、コロケートされていないマルチプルなノードと通信することができ、これはマルチフロー動作とも呼ばれ得る。コロケートされていないノード（non co-located nodes）とは、同じセルサイトに位置しないノードである。マルチプルなノードは、異なるマクロｅＮＢ、またはマクロｅＮＢと、ピコ、フェムトおよび／もしくはホームｅＮＢなどの低電力ｅＮＢとの組合せ、またはｅＮＢとリレーとの組合せなどに対応することができる。一例では、１つのノードは、ＵＥのためのアンカーノードとして指定され、残りの各ノードはＵＥのためのブースターノードとして指定される。
【００３０】
[0044]ダウンリンク上のマルチフロー動作は、パケットレベル分割、ベアラレベル分割または何らかの他の分割方式でサポートされ得る。パケットレベル分割の場合、ＵＥに向けられるパケットは、アンカーノードによって受信され、ＵＥと通信するマルチプルなノード間で分割され得る。各ノードは、そのノードにおいてＵＥのために構成されるダウンリンクＣＣのセット上でＵＥにパケットを送信することができる。ベアラレベル分割の場合、各ノードが、ＵＥに向けられたデータを受信することができ、そのデータを、そのノードにおいてＵＥのために構成されたダウンリンクＣＣのセット上でＵＥに送信することができる。ベアラは、あらかじめ定義された特性、たとえば、定義された容量、遅延、ビット誤り率などの、情報送信経路を指す場合がある。データベアラは、データを交換するためのベアラであり、ＵＥと、ＵＥのためのデータをルーティングするために指定されたネットワークエンティティ（たとえば、パケットデータネットワーク（ＰＤＮ）ゲートウェイ）とにおいて終端することができる。
【００３１】
[0045]キャリアアグリゲーションを伴うマルチフロー動作の場合、ＵＥは、ノードごとに１つまたは複数のダウンリンクＣＣと１つまたは複数のアップリンクＣＣとを用いて構成され得る。異なるノードについてＵＥのために構成されたＣＣのセットは、重なり合う場合も、重なり合わない場合もある。たとえば、ＵＥは、第１のノードについてのみＣＣ  Ｘを用いて構成される場合があり、第１のノードと第２のノードの両方についてＣＣ  Ｙを用いて構成され得る。ＵＥは、すべてのノードについて、ダウンリンクＣＣのセットとアップリンクＣＣのセットとを用いて構成され得る。ＵＥは、構成された各ＣＣ上で１つまたは複数のノードと通信し得る。
【００３２】
[0046]ＵＥは、アップリンクＣＣ上でノードにアップリンク信号を送信することができる。アップリンク信号は、伝搬遅延を観測する場合があり、これは、ＵＥとノードとの間のワイヤレスチャネルに依存し得る。ＵＥからのアップリンク信号がノードにおいて指定された時間窓内で受信され得るように、ＵＥはアップリンク上で送信するために調整された送信タイミングを有することができる。ノードはＵＥからアップリンク信号の受信された時刻を測定することができる。その後、アップリンク信号がノードにおいて適切に時間合わせ（time aligned）され得るように、ノードは、アップリンクＣＣの場合のＵＥのためのタイミング調整（ＴＡ）を決定することができる。ノードは、そのタイミング調整をＵＥに送ることができる。ＵＥは、タイミング調整に基づいて、アップリンクＣＣのための送信タイミングを調整することができる。
【００３３】
[0047]ＵＥは、上記のように、アップリンクＣＣのセットを用いて構成される場合があり、構成された各ＣＣ上で１つまたは複数のノードに送信することができる。マルチプルなノードのために構成された各アップリンクＣＣは、同じタイミング調整グループ（ＴＡＧ）に属するか、または異なるＴＡＧに属し得る。同じＴＡＧは、マルチプルなノードからのアップリンクＣＣのための同じタイミング調整を指す。異なるＴＡＧは、マルチプルなノードからのアップリンクＣＣのための異なるタイミング調整を指す。
【００３４】
[0048]ＵＥは、マルチフロー動作のために、１組のダウンリンクＣＣおよび１組のアップリンクＣＣ上で、コロケートされていないマルチプルなノードと通信することができる。ＵＥは、ノードごとに１つのアップリンクＰＣＣを用いて構成され得る。ＵＥは、異なるノードのために異なるアップリンクＰＣＣを有する場合があり、および／またはマルチプルなノードのために同じアップリンクＰＣＣを有し得る。１つの設計では、ＵＥは、そのノードのためのアップリンクＰＣＣのみにおいて各ノードにＰＵＣＣＨを送ることができる。ＵＥは、そのノードのアップリンクＰＣＣにおいて、（たとえば、ダウンリンク上でのデータ送信をサポートするために）ＰＵＣＣＨ上でノードごとの制御情報を送信することができる。
【００３５】
[0049]図５は、マルチフロー動作のためのシングルＵＬ対応ＵＥ（「Ｘ」）と２つのノードＡおよびＢとの間の通信を示す。シングルＵＬ対応ＵＥは、たとえば、ＵＥのハードウェア制約に起因して、所与の時点で１つのアップリンクＣＣ上でのみ送信することができるＵＥである。ＵＥ  Ｘは、ノードＡのための１つまたは複数のダウンリンクＣＣと、ノードＢのための１つまたは複数のダウンリンクＣＣとを用いて構成され得る。また、ＵＥ  Ｘは、ノードＡのための１つまたは複数のアップリンクＣＣと、ノードＢのための１つまたは複数のアップリンクＣＣとを用いて構成され得る。１つのシナリオでは、ＵＥ  ＸはノードＡとＢの両方の場合に同じアップリンクＰＣＣを用いて構成され得る。別のシナリオでは、ＵＥ  Ｘは、ノードＡおよびＢの場合に異なるＰＣＣを用いて構成され得るが、いずれかの所与の瞬間において１つのアップリンクＰＣＣ上のみで送信することができる。
【００３６】
[0050]シングルＵＬ対応ＵＥは、以下の方式のうちの１つまたは複数に基づいて、単一のアップリンクＰＣＣ上でマルチプルなノードと通信することができる：  
・ＴＤＭ−  ＵＥは、異なる時間間隔、たとえば、異なるサブフレームにおいてアップリンクＰＣＣ上で異なるノードに制御情報を送る。  
・ＦＤＭ−  ＵＥは、アップリンクＰＣＣの異なる周波数領域において異なるノードに制御情報を送る。  
・共同送信（Joint transmission）−  ＵＥは、アップリンクＰＣＣ上の同じアップリンク送信においてすべてのノードのための制御情報を送る。
【００３７】
[0051]図６は、ＴＤＭに基づいてアップリンクＰＣＣ上でマルチプルなノードＡおよびＢに送信するシングルＵＬ対応ＵＥ  Ｘの設計を示す。ＵＥ  Ｘは、ノードＡおよびＢのためのＴＤＭパターンを用いて構成され得る（たとえば、ＲＣＣシグナリングによる）。ＴＤＭパターンは、ＵＥ  ＸがアップリンクＰＣＣ上でノードＡに送信することができる第１のサブフレームと、ＵＥ  ＸがアップリンクＰＣＣ上でノードＢに送信することができる第２のサブフレームとを含むことができる。図６に示される設計において、ＵＥ  Ｘは、ノードＡのためのＮ個の連続したサブフレーム、それに続くノードＢのためのＫ個の連続したサブフレーム、それに続くノードＡのためのＮ個の連続したサブフレームなどで構成され、ここで、ＮおよびＫはそれぞれ任意の値でありえる。
【００３８】
[0052]ＴＤＭパターンに基づいて各ノードに割り振るべき（各ノードために予約されるか、または各ノードによって利用される）サブフレームの数（たとえば、図６のＮおよびＫの値）は、各ノードに送るべき制御情報の予想量、ノードごとにＵＥ  Ｘのために構成されるＣＣの数、制御情報を送る際の目標遅延、ＵＥ  Ｘ内の無線周波数（ＲＦ）回路のための再同調時間などの種々の要因に基づいて選択され得る。単一の送信（ＴＸ）チェーンを用いて２つ以上のキャリア周波数を動的に切り替えることがＵＥ  Ｘにとって課題となる場合がある。ＲＦ回路の再同調に起因する損失と、制御情報の集約（bundling）とのバランスをとるために、ＵＥ  Ｘが多くても数サブフレームおきにアップリンクＰＣＣ上でノードＡとＢとを切り替えるように、ＴＤＭパターンが選択され得る。たとえば、ＵＥ  Ｘは、ダウンリンクのための受信回路を再同調させるのに約３００μｓを必要とする場合があり、アップリンクのための送信回路を再同調させるのに同様の長さの時間を必要とする場合がある。各ノードに割り振るべき連続したサブフレームの数は、そのような再同調に起因する損失を軽減するように選択され得る。
【００３９】
[0053]図６に示されるように、ＵＥ  Ｘは、そのノードに割り振られた（またはそのノードのために予約された）サブフレームにおいて、アップリンクＰＣＣのＰＵＣＣＨ上で、各ノードに制御情報を送ることができる。ＵＥ  Ｘは、ノードＡに割り振られた第１のサブフレームにおいて第１のＰＵＣＣＨ（ＰＵＣＣＨ１）上でノードＡに制御情報を送ることができ、ノードＢに割り振られた第２のサブフレームにおいて第２のＰＵＣＣＨ（ＰＵＣＣＨ２）上でノードＢに制御情報を送ることができる。
【００４０】
[0054]ＵＥ  Ｘは、任意のサブフレームにおいて各ノードからのダウンリンク上でデータ送信を受信することができる。ＵＥ  Ｘは、サブフレームｔ中にノードＡからのダウンリンクデータ送信を受信することができ、通常、サブフレームｔ＋ＤACKにおいて４サブフレーム後に、受信されたデータ送信に対するＡＣＫ／ＮＡＣＫを送ることができ、ここで、ＤACKはＡＣＫ／ＮＡＣＫフィードバック遅延であり、４つまたは何らかの他の値に等しい場合がある。しかしながら、ノードＡおよびＢのためのアップリンクＰＣＣのＴＤＭに起因して、サブフレームｔ＋ＤACKはノードＡの代わりにノードＢに割り振られ得る。この場合、ＵＥ  Ｘは、サブフレームｔ＋ＤACKにおいてノードＡにＡＣＫ／ＮＡＣＫフィードバックを送ることができない場合があり、ＵＥ  ＸがノードＡに制御情報を送ることができる次に利用可能なサブフレームを待つ場合がある。
【００４１】
[0055]１つの設計では、ＵＥ  Ｘは、各ノードからのダウンリンクデータ送信のためのＡＣＫ／ＮＡＣＫを集約することができ、ＴＤＭパターンに基づいて、そのノードに割り振られたサブフレームにおいて、集約されたＡＣＫ／ＮＡＣＫを送ることができる。ＡＣＫ／ＮＡＣＫを集約するサブフレームの数は、集約窓サイズ（bundling window size）と呼ばれ得る。ノードごとの集約窓サイズはＴＤＭパターンによって決定され得る。たとえば、ＵＥ  Ｘは、ノードＢに割り振られたサブフレームにおいて送られるように指定されたノードＡに対するＡＣＫ／ＮＡＣＫを集約することができ、その逆も同様である。ノードＡに対するＡＣＫ／ＮＡＣＫのための集約窓サイズは、最大でも、ノードＢに割り振られたサブフレームの数に等しくなり得、その逆も同様である。
【００４２】
[0056]また、ＵＥ  Ｘは、ＴＤＭパターンに基づいて、そのノードに割り振られたサブフレームにおいて各ノードについてのチャネル状態情報（ＣＳＩ）を報告することもできる。ＣＳＩは、チャネル品質インジケータ（ＣＱＩ）、プリコーディング行列インジケータ（ＰＭＩ），プリコーディングタイプインジケータ（ＰＴＩ）、ランクインジケータ（ＲＩ）および／または他の情報を含みうる。ダウンリンクＣＣのためのＲＩは、ダウンリンクＣＣ上のデータの送信のために使用すべきレイヤの数を示すことができる。各レイヤは空間チャネルと見なされ得る。ダウンリンクＣＣのためのＰＴＩは、プリコーディングタイプフィードバック（たとえば、広帯域か、部分帯域か）を示すことができる。ダウンリンクＣＣのためのＰＭＩは、ダウンリンクＣＣ上での送信前にデータをプリコードするために使用すべきプリコーディング行列またはベクトルを示すことができる。ダウンリンクＣＣのためのＣＱＩは、ダウンリンクＣＣ上で送るべき少なくとも１つのパケットの各々についてのチャネル品質を示すことができる。
【００４３】
[0057]ＵＥ  Ｘは、そのダウンリンクＣＣに関する構成を報告するＣＳＩに基づいて、ダウンリンクＣＣのためのＣＳＩをノードに定期的に報告するように構成され得る。ダウンリンクＣＣのための構成を報告するＣＳＩは、そのダウンリンクＣＣのためにどのタイプのＣＳＩ（たとえばＣＱＩ、ＰＭＩ、ＰＴＩ、および／またはＲＩ）を報告すべきか、各タイプのＣＳＩをどの程度の頻度で報告するか、各タイプのＣＳＩを報告するサブフレームなどを示すことができる。各ノードのためのダウンリンクＣＣごとの構成を報告するＣＳＩは、ＴＤＭパターンに基づいてノードに割り振られたサブフレームにおいてＵＥ  ＸがそのノードにＣＳＩを送ることができるように指定され得る。その後、ＵＥ  Ｘは、そのノードに割り振られたサブフレームにおいて各ノードにＣＳＩを定期的に送ることができる。
【００４４】
[0058]また、ＵＥ  Ｘは、ＣＳＩ要求を介して、所与のサブフレームにおいてノードに１つまたは複数のダウンリンクＣＣのためのＣＳＩを送信するように要求される場合もある。たとえば、ノードＡは、サブフレームｔにおいてＵＥ  ＸにＣＳＩ要求を送ることができ、ＵＥ  Ｘは、通常、サブフレームｔ＋ＤCSIにおいてノードＡに要求されたＣＳＩを送ることができ、ここで、ＤCSIはＣＳＩフィードバック遅延であり、４または何らかの他の値に等しい場合がある。しかしながら、サブフレームｔ＋ＤCSIは、ＴＤＭパターンに基づいてノードＡが利用することもできる。この場合、ＵＥ  Ｘは、ノードＡが利用可能なサブフレーム（たとえば、次のサブフレーム）において、要求されたＣＳＩを送ることができる。
【００４５】
[0059]図７Ａは、ＦＤＭを用いて単一のアップリンクＰＣＣ上でマルチプルなノードをサポートする設計を示す。図７Ａの例では、アップリンクＰＣＣの制御領域は、（ｉ）周波数領域７１０ａと７１０ｂとを含むＣＳＩ領域と、（ｉｉ）周波数領域７２０ａと７２０ｂとを含むＡＣＫ領域とに分割され得る。ＣＳＩ周波数領域７１０ａは、ノードＡのために予約される周波数部分領域７１２ａと、ノードＢのために予約される周波数部分領域７１４ａとに分割され得る。同様に、ＣＳＩ周波数領域７１０ｂは、ノードＡのために予約される周波数部分領域７１２ｂと、ノードＢのために予約される周波数部分領域７１４ｂとに分割され得る。ノードＡのための周波数部分領域７１２ａおよび７１２ｂは、アップリンクＰＣＣの中心周波数に対して対称でありえ、中心周波数から等距離でありえる。ノードＢのための周波数部分領域７１４ａおよび７１４ｂも中心周波数に対して対称でありえる。
【００４６】
[0060]ＡＣＫ周波数領域７２０ａは、ノードＡのために予約される周波数部分領域７２２ａと、ノードＢのために予約される周波数部分領域７２４ａとに分割され得る。同様に、ＡＣＫ周波数領域７２０ｂは、ノードＡのために予約される周波数部分領域７２２ｂと、ノードＢのために予約される周波数部分領域７２４ｂとに分割され得る。ノードＡのための周波数部分領域７２２ａおよび７２２ｂは、中心周波数に対して対称でありえる。ノードＢのための周波数部分領域７２４ａおよび７２４ｂも中心周波数に対して対称でありえる。
【００４７】
[0061]図７Ａは、アップリンクＰＣＣ上の２つのノードＡおよびＢのためのＦＤＭの例示的な設計を示す。この例示的な設計では、アップリンクＰＣＣ上でＵＥ  Ｘによって別々に送られ得る制御情報のタイプごとに、各ノードのための別々の周波数が予約され得る。マルチプルなノードのためのＦＤＭは、他の方法においてもサポートされ得る。たとえば、すべてのタイプの制御情報に対してノードごとに単一の周波数範囲が予約され得る。
【００４８】
[0062]ＵＥ  Ｘは、所与のサブフレームにおいて、１つまたは複数のＰＵＣＣＨ上で１つまたは複数のノードに制御情報を送ることができる。ＵＥ  Ｘは、そのノードのために予約される周波数領域内でＵＥ  Ｘに割り当てられた１つまたは複数のリソースブロックにおいて各ノードに制御情報を送ることができる。ＵＥ  Ｘは、同じサブフレームにおいて、異なるリソースブロック上でマルチプルなノードに制御情報を送ることができる。アップリンク送信がノードによって確実に受信され得るように、ＵＥ  Ｘは、そのノードのためのチャネル条件に基づいて、ノードごとのアップリンク送信部分の送信電力を設定することができる。
【００４９】
[0063]図７Ｂは、ＦＤＭに基づいてアップリンクＰＣＣ上でマルチプルなノードＡおよびＢに送信するシングルＵＬ対応ＵＥ  Ｘの設計を示す。ＵＥ  Ｘは、ノードＡに第１のＰＵＣＣＨを送信するために第１の周波数リソース（たとえば、リソースブロック７３２ａおよび７３２ｂ）を用いて構成され得る（たとえば、ＲＲＣシグナリングによる）。また、ＵＥ  Ｘは、ノードＢに第２のＰＵＣＣＨを送信するための第２の周波数リソース（たとえば、リソースブロック７３４ａおよび７３４ｂ）を用いて構成され得る。ＵＥ  Ｘは、周波数ホッピングを伴って、アップリンクＰＣＣの中心周波数に対して対称であるリソースブロックを割り当てられ得る。ノードＡおよびＢのためのＰＵＣＣＨは、同じサブフレーム内で周波数に関して多重化され得る。ＵＥ  Ｘのためのリソース構成は半静的でありえ、必要に応じて、たまに変化し得る。
【００５０】
[0064]１つの設計では、異なるノードのためのＰＵＣＣＨのためにＵＥ  Ｘに割り当てられるリソースブロックは、周波数において連続しているか、または互いに近接している場合がある。連続したリソースブロックを割り当てることによって、ＵＥ  Ｘは、マルチプルなノードへのアップリンク送信のためのシングルキャリア波形を保持できるようになり得る。シングルキャリア波形は、ピーク対平均電力比（ＰＡＰＲ）を下げることができ、望ましい場合がある。
【００５１】
[0065]ＵＥ  Ｘは、そのノードのためにＵＥ  Ｘに割り当てられた１つまたは複数のリソースブロックにおいて、ＰＵＣＣＨ上で各ノードに制御情報を送ることができる。ＵＥ  Ｘは、適切なＰＵＣＣＨフォーマットに基づいて、ＰＵＣＣＨ上で各ノードに制御情報を送ることができる。ＬＴＥリリース１１は、ＰＵＣＣＨフォーマット１ａと１ｂと、２と、２ａと、２ｂと、３と、４とをサポートする。ＰＵＣＣＨフォーマット１ａまたは１ｂは、ＰＵＣＣＨ上のＡＣＫ／ＮＡＣＫの１または２ビットを送るために使用され得る。ＰＵＣＣＨフォーマット２、２ａまたは２ｂは、ＰＵＣＣＨ上で、最大で１０ビットのＣＳＩと、ＡＣＫ／ＮＡＣＫのそれぞれ０、１、または２ビットとを送るために使用され得る。ＰＵＣＣＨフォーマット３は、ＰＵＣＣＨ上で、最大で２１ビットまでのＣＳＩおよび／またはＡＣＫ／ＮＡＣＫを送るために使用され得る。
【００５２】
[0066]ＵＥ  Ｘは、ＵＥ  ＸとノードＡとの間のワイヤレスチャネルに基づいて、リソースブロック７３２ａおよび７３２ｂにおいてノードＡに送られる第１のＰＵＣＣＨの送信電力を設定することができる。同様に、ＵＥ  Ｘは、ＵＥ  ＸとノードＢとの間のワイヤレスチャネルに基づいて、リソースブロック７３４ａおよび７３４ｂにおいてノードＢに送られる第２のＰＵＣＣＨの送信電力を設定することができる。ＵＥ  Ｘは、異なるノードに異なる送信電力レベルにおいてＰＵＣＣＨを送信することができる。また、ＵＥ  Ｘは、ＰＵＣＣＨ上で送られるアップリンク送信のための良好な性能を達成するために、異なるノードによって別々に電力制御され得る。
【００５３】
[0067]共同送信方式では、ＵＥ  Ｘは、アップリンクＰＣＣ上で、マルチプルなノードのための制御情報を備える単一のアップリンク送信を送ることができる。１つの設計では、ＵＥ  Ｘは、ノードＡのための第１の制御情報とノードＢのための第２の制御情報とを多重化することができる。その後、ＵＥ  Ｘは、単一のＰＵＣＣＨ上で送信するための変調シンボルを得るために、多重化された制御情報を処理する（たとえば、符号化し、シンボルマッピングする）ことができる。別の設計では、ＵＥ  Ｘは、ノードごとの変調シンボルを得るために、ノードごとの制御情報を処理する（たとえば、符号化し、シンボルマッピングする）ことができる。その後、ＵＥ  Ｘは、すべてのノードのための変調シンボルを多重化することができる。両方の設計の場合に、ＵＥ  Ｘは、ノードＡおよびＢへの送信のためにＵＥ  Ｘに割り当てられたリソースブロック上で送られるアップリンク送信を得るために、すべてのノードのための変調シンボルをさらに処理する（たとえば、拡散し、変調する）ことができる。ＵＥ  Ｘは、ノードＡおよびＢのために必要とされる送信電力の中で最も高い送信電力に基づいて、アップリンク送信の送信電力を設定することができる。その後、アップリンクＰＣＣ上でノードＡおよびＢにアップリンク送信を送ることができる。各ノードは、ＵＥ  Ｘからアップリンク送信を受信することができ、ＵＥ  Ｘからのアップリンク送信を処理して（たとえば、復調し、復号して）、そのノードに送られた制御情報を復元することができる。
【００５４】
[0068]共同送信方式の場合、ＵＥ  Ｘは、アップリンク送信が送られるすべてのノードによって知られている１組のパラメータに基づいて、ＰＵＣＣＨ上でアップリンク送信を生成することができる。たとえば、アップリンク送信は、特定のセル識別（ＩＤ）、特定のセル無線ネットワーク一時識別子（Ｃ−ＲＮＴＩ）、ＰＵＣＣＨフォーマットのための特定のリソースインデックス、特定の直交シーケンスなどに基づいて生成され得る。１組のパラメータは、ＵＥ  ＸのためのプライマリセルもしくはＵＥ  Ｘの送信電力を制御するセルに基づいて、またはノードＡとＢの両方の場合にＵＥ  Ｘのために適用可能なＲＲＣ構成などに基づいて、決定または選択され得る。
【００５５】
[0069]ノードは、同じリソースブロックにおいて、ＰＵＣＣＨ上でマルチプルなＵＥからマルチプルなアップリンク送信を受信することができる。これらのＵＥは、コード領域において、（ｉ）周波数またはサブキャリアにわたって拡散するための異なる直交基準信号シーケンス、および／または（ｉｉ）時間またはシンボル期間にわたって拡散するための異なる直交拡散シーケンスで多重化され得る。また、これらのＵＥは、各ＵＥからのアップリンク送信がノードにおいて目標受信信号品質で受信されるように、ノードによって電力制御され得る。これは、各ＵＥからのアップリンク送信が、同じリソースブロック上で送られる他のＵＥからのアップリンク送信との過剰な干渉を引き起こさないのを確実にすることができる。
【００５６】
[0070]共同送信方式の場合、ＵＥ  Ｘは、ＵＥ  Ｘに割り当てられたリソースブロックにおいてノードＡおよびＢにアップリンク送信を送ることができる。アップリンク送信の送信電力は、ノードＢよりもＵＥ  Ｘについてより悪いワイヤレスチャネルを有する場合がある、ノードＡによって制御され得る。ＵＥ  Ｘからのアップリンク送信は、ノードＢにおいて確実に復号するために必要な電力より高い送信電力において送られ得る。ノードＢによってサービングされる他のＵＥも、ＵＥ  Ｘによって使用される同じリソースブロックにおいてアップリンク送信を送り得る。これらの他のＵＥはノードＢによって制御される送信電力を有し得る。したがって、同じリソースブロックにおいて多重化されるＵＥは、異なるノードによって電力制御される場合がある。この結果、同じリソースブロックにおいて多重化されたＵＥ間の直交性が失われ、したがって、干渉が生じるおそれがある。この問題は、同じリソースブロックにおいて同じノードによって電力制御されるＵＥ（たとえば、マルチフローＵＥ、場合によっては非マルチフローＵＥ）を多重化することによって軽減され得る。
【００５７】
[0071]１つのシナリオでは、ＵＥ  ＸのためのアップリンクＰＣＣは、ノードＡおよびＢのための同じＴＡＧに属することができる。このシナリオでは、ＵＥ  ＸはノードＡおよび／またはノードＢからタイミングアドバンスを受信することができ、そのタイミングアドバンスに基づいて、アップリンクＰＣＣのための送信タイミングを調整することができる。アップリンクＰＣＣ上でのＵＥ  Ｘからのアップリンク送信は、ノードＡおよびＢにおいて適切に時間合わせされることになる。
【００５８】
[0072]別のシナリオでは、ＵＥ  ＸのためのアップリンクＰＣＣは、ノードＡおよびノードＢの場合に異なるＴＡＧに属することができる。この場合、ＵＥ  Ｘは、ノードＡからアップリンクＰＣＣのための第１のタイミングアドバンスを受信することができ、同様に、ノードＢからアップリンクＰＣＣのための第２のタイミングアドバンスを受信することができる。アップリンク送信がノードＡにおいて適切に時間合わせされるのを確実にするために、ＵＥ  Ｘは、第１のタイミングアドバンスに基づいて、アップリンクＰＣＣ上でノードＡにアップリンク送信を送ることができる。アップリンク送信がノードＢにおいて適切に時間合わせされるのを確実にするために、ＵＥ  Ｘは、第２のタイミングアドバンスに基づいて、アップリンクＰＣＣ上でノードＢにアップリンク送信を送ることができる。
【００５９】
[0073]アップリンクＰＣＣが異なるＴＡＧに属するシナリオの場合、シングルＵＬ対応ＵＥ  Ｘに対してＴＤＭ方式が使用され得る。ノードＡのために割り振られたサブフレームとノードＢのために割り振られたサブフレームとの間にいくらかの重なりが存在し得る。たとえば、ＵＥ  Ｘは、ノードＢの場合より、ノードＡの場合に遅い送信時間を有する場合がある。その際、ノードＡのためのＵＥ  Ｘの送信時間が遅いことに起因して、ノードＡのために割り振られたサブフレームｔは、ノードＢのために割り振られたサブフレームｔ＋１と重なり合う場合がある。ＵＥ  Ｘは、異なるノードの場合の重なり合うサブフレームの原因となるアップリンク送信を送ることができる。たとえば、ＵＥ  Ｘは、サブフレームｔの最後のシンボル期間においてノードＡに送信するのを回避することができるか、またはサブフレームｔ＋１の最初のシンボル期間においてノードＢに送信するのを回避することができる。
【００６０】
[0074]アップリンク上のＰＵＣＣＨの場合にマルチフローがサポートされ得る。この場合、ＵＥ  Ｘは、上記のように、ＰＵＣＣＨをマルチプルなノードに送ることができる。アップリンク上のＰＵＣＣＨのためのマルチフローは、マルチプルなノードからＵＥ  Ｘへのダウンリンク上でのデータ送信をサポートするために使用され得る。
【００６１】
[0075]また、アップリンク上のＰＵＳＣＨの場合にもマルチフローがサポートされ得る。この場合、ＵＥ  Ｘは、たとえば、ＰＵＣＣＨに関して先に説明されたように、ＴＤＭまたはＦＤＭを用いて、ＰＵＳＣＨ上でマルチプルなノードにデータを送ることができる。ＴＤＭ方式の場合、ＵＥ  Ｘは、ＵＥ  Ｘと通信する各ノードに割り振られたサブフレームを示すことができる、ＰＵＳＣＨのためのＴＤＭパターンを用いて構成され得る。ＰＵＳＣＨのためのＴＤＭパターンは、ＰＵＣＣＨのためのＴＤＭパターンと同じでありえ、または異なるものでありえる。ＣＡが、マルチクラスタＰＵＳＣＨ送信をサポートすることができる。ＵＥ  ＸによるＰＵＳＣＨ送信に起因するアップリンク上の干渉を軽減するために、時間領域および／または周波数領域において、ノード間の干渉協調が実行され得る。たとえば、いくつかのサブフレームおよび／またはいくつかのサブキャリアが各ノードに割り振られ得る。ＵＥ  Ｘは、そのノードに割り振られたサブフレームおよび／またはサブキャリアにおいて各ノードにＰＵＳＣＨ送信を送ることができる。
【００６２】
[0076]マルチＵＬ対応ＵＥは、各ノードへの１つまたは複数のアップリンクＣＣにおいて、マルチプルなアップリンクＣＣ上でマルチプルなノードにいつでも送信することができるＵＥである。マルチＵＬ対応ＵＥは、ノードごとに１つまたは複数のダウンリンクＣＣと１つまたは複数のアップリンクＣＣとを用いて構成され得る。マルチＵＬ対応ＵＥは、ＲＲＣシグナリングまたは何らかの他の機構を介して、マルチプルなノードのためのダウンリンクＣＣおよびアップリンクＣＣを用いて構成され得る。
【００６３】
[0077]第１の設計では、マルチＵＬ対応ＵＥは、ノードごとに１つのアップリンクＰＣＣを有することができ、異なるノードに対して異なるアップリンクＰＣＣを有することができる。マルチＵＬ対応ＵＥは、そのノードのためのアップリンクＰＣＣにおいて、ノードごとのすべてのダウンリンクＣＣのための制御情報を送ることができる。Ｐセルに関連付けられる機能は、ＵＥと通信する各ノードにも適用可能な場合がある。
【００６４】
[0078]図８Ａは、マルチフロー動作のためのマルチＵＬ対応ＵＥ  Ｙと２つのノードＡおよびＢとの間の通信を示す。図８Ａに示される例では、ＵＥ  Ｙは、ノードＡのための１つのアップリンクＣＣ（ＣＣ１）と、ノードＢのための２つのアップリンクＣＣ（ＣＣ２およびＣＣ３）とを用いて構成される。アップリンクＣＣ１は、ノードＡのためのアップリンクＰＣＣであり、アップリンクＣＣ２はノードＢのためのアップリンクＰＣＣである。ＵＥ  Ｙは、アップリンクＣＣ１において第１のＰＵＣＣＨ上でノードＡに制御情報を送ることができる。また、ＵＥ  Ｙは、アップリンクＣＣ２において第２のＰＵＣＣＨ上でノードＢに制御情報を送ることができる。
【００６５】
[0079]アップリンクＣＣ１およびＣＣ２は同じＴＡＧに属することができる。この場合、ＵＥ  Ｙは、このＴＡＧのためのタイミングアドバンスに基づいて、アップリンクＣＣ１およびＣＣ２におけるアップリンク送信のための送信タイミングを調整することができる。代替的には、アップリンクＣＣ１およびＣＣ２は異なるＴＡＧに属することができる。この場合、ＵＥ  Ｙは、アップリンクＣＣ１のためのタイミングアドバンスに基づいて、アップリンクＣＣ１におけるアップリンク送信のための送信タイミングを調整することができる。ＵＥ  Ｙは、アップリンクＣＣ２のためのタイミングアドバンスに基づいて、アップリンクＣＣ２におけるアップリンク送信のための送信タイミングを調整することができる。
【００６６】
[0080]第２の設計では、マルチＵＬ対応ＵＥは、すべてのノードのための１つの共通のアップリンクＰＣＣを有することができる。マルチＵＬ対応ＵＥは、以下の方式のうちの１つまたは複数に基づいて、共通のアップリンクＰＣＣにおいてマルチプルなノードと通信することができる。  
・ＴＤＭ−ＵＥは、異なる時間間隔、たとえば、異なるサブフレームにおいて共通のアップリンクＰＣＣ上で異なるノードに制御情報を送る。  
・ＦＤＭ−ＵＥは、共通のアップリンクＰＣＣの異なる周波数領域において異なるノードに制御情報を送る。  
・共同送信−ＵＥは、共通のアップリンクＰＣＣ上の同じアップリンク送信においてすべてのノードのための制御情報を送る。
【００６７】
[0081]図８Ｂは、マルチフロー動作のためのマルチＵＬ対応ＵＥ  Ｚと２つのノードＡおよびＢとの間の通信を示す。図８Ｂに示される例において、ＵＥ  Ｚは、ノードＡのための１つのアップリンクＣＣ（ＣＣ１）と、ノードＢのための３つのアップリンクＣＣ（ＣＣ１、ＣＣ２およびＣＣ３）とを用いて構成される。アップリンクＣＣ１は、ノードＡとＢの両方に共通のアップリンクＰＣＣである。ＵＥ  Ｚは、アップリンクＣＣ１を介して、第１のＰＵＣＣＨ上でノードＡに制御情報を送ることができる。また、ＵＥ  Ｙも、アップリンクＣＣ１を介して第２のＰＵＣＣＨ（場合によっては、第１のＰＵＣＣＨ）上でノードＢに制御情報を送ることができる。
【００６８】
[0082]ＵＥ  Ｚのための共通のアップリンクＰＣＣは、ノードＡおよびＢの場合に同じＴＡＧに属することができる。この場合、ＵＥ  ＺはノードＡおよび／またはノードＢからタイミングアドバンスを受信することができ、そのタイミングアドバンスに基づいて、共通のアップリンクＰＣＣのための送信タイミングを調整することができる。共通のアップリンクＰＣＣ上のＵＥ  Ｚからのアップリンク送信は、ノードＡおよびＢにおいて適切に時間合わせされることになる。
【００６９】
[0083]代替的には、ＵＥ  Ｚのための共通のアップリンクＰＣＣは、ノードＡおよびＢの場合に異なるＴＡＧに属することができる。この場合、ＵＥ  Ｚは、ノードＡから第１のタイミングアドバンスを受信することができ、第１のタイミングアドバンスに基づいて、共通のアップリンクＰＣＣ上でのノードＡへのアップリンク送信のための送信タイミングを調整することができる。ＵＥ  Ｚは、ノードＡから第２のタイミングアドバンスを受信することができ、第２のタイミングアドバンスに基づいて、共通のアップリンクＰＣＣ上でのノードＢへのアップリンク送信のための送信タイミングを調整することができる。ＵＥ  Ｚは、上記のように、異なるＴＡＧを考慮することができる。
【００７０】
[0084]ＰＵＳＣＨのためのアップリンクにおいてマルチフローもサポートされ得る。この場合、マルチＵＬ対応ＵＥは、そのＵＥのために構成された各アップリンクＣＣにおいて、ＰＵＳＣＨ上でデータを送ることができる。
【００７１】
[0085]図９に、制御情報を送るためのプロセス９００の設計を示す。プロセス９００は、（以下で説明されるように）ＵＥによって、または何らかの他のエンティティによって実行され得る。ＵＥは、シングルＵＬ対応ＵＥでありえ、いつでも１つのアップリンクＣＣ上で送信することができ得る。ＵＥは、複数のセルサイトに位置する複数のノードと通信するために、そのＵＥのために構成された少なくとも１つのＣＣを決定することができる（ブロック９１２）。ＵＥは、複数のノードのノードごとに少なくとも１つのＣＣのうちの１つまたは複数を用いて構成され得る。ＵＥは、送るべき制御情報が存在する各サブフレームにおいて、少なくとも１つのＣＣの中の１つのＣＣにおいて、複数のノードの中の少なくとも１つのノードに制御情報を送ることができる（ブロック９１４）。
【００７２】
[0086]１つの設計では、ＵＥは、複数のノードに対して、そのＵＥのために構成された１つのアップリンクＰＣＣを決定することができる。アップリンクＰＣＣは、ＵＥのために構成された少なくとも１つのＣＣのうちの１つでありえる。ノードのためのアップリンクＰＣＣは、ＵＥからそのノードに制御情報を搬送するように指定されたＣＣでありえ、指定ＣＣと呼ばれる場合もある。ＵＥは、アップリンクＰＣＣ上で少なくとも１つのノードに制御情報を送ることができる。１つの設計では、アップリンクＰＣＣは、単一のＴＡＧに属し得る、複数のノードからの共通のタイミングアドバンスに関連付けられ得る。別の設計では、アップリンクＰＣＣは、異なるＴＡＧに属し得る、複数のノードからの異なるタイミングアドバンスに関連付けられ得る。
【００７３】
[0087]一態様では、複数のノードはアップリンクＰＣＣ上で時分割多重化され得る。ＵＥは、複数のノードのそれぞれに割り振られたサブフレームを示す情報（たとえば、ＴＤＭパターン）を受信することができる。たとえば、ＴＤＭパターンの各サイクルにおいて各ノードに少なくとも２つの連続したサブフレームが割り振られ得る。ＵＥは、そのノードに割り振られたサブフレーム内で各ノードに制御情報を送ることができる。
【００７４】
[0088]別の態様では、ＵＥは、複数のノードの中の第１のノードのためのＡＣＫ／ＮＡＣＫを集約することができる。ＵＥは、第１のノードに割り振られたサブフレーム内で、集約されたＡＣＫ／ＮＡＣＫを第１のノードに送ることができる。１つの設計では、ＵＥは、第１のノードのために、ＵＥのための構成を報告する少なくとも１つのＣＳＩを得ることができる。構成を報告する少なくとも１つのＣＳＩは、第１のノードに割り振られたサブフレーム内で、第１のノードのためのＣＳＩを報告するようにＵＥをスケジューリングすることができる。
【００７５】
[0089]また、複数のノードは、アップリンクＰＣＣ上で周波数分割多重化され得る。複数のノードは、たとえば、図７Ａに示されるように、アップリンクＰＣＣ上で異なる周波数領域を割り振られ得る。ＵＥは、複数のノードのためにＵＥに割り当てられるアップリンクＰＣＣ上でリソースブロックを示すシグナリングを受信することができる。ＵＥは、複数のノードのためにアップリンクＰＣＣ上で連続したリソースブロックを割り当てられ得る。ＵＥは、そのノードのためにＵＥに割り当てられたリソースブロックにおいて、複数のノードのノードごとの制御情報を送ることができる。ＵＥは、複数のノードのための制御情報を備え、複数のノードのためにＵＥに割り当てられるアップリンクＰＣＣにおいてリソースブロック上で送られるアップリンク送信を生成することができる。ＵＥは、そのノードによる電力制御に基づいて各ノードに送信されるアップリンク送信部分の送信電力を設定することができる。
【００７６】
[0090]別の態様では、ＵＥは、複数のノードに共同送信を送ることができる。ＵＥは、複数のノードのための制御情報を多重化することができる。異なるノードのための制御情報は、その情報を送信するＵＥに特有のものでありえる。ＵＥは、多重化された制御信号に基づいて、複数のノードのための単一の制御メッセージを生成することができる。ＵＥは、複数のノードのために適用可能な１組のパラメータに基づいて制御メッセージのための単一のアップリンク送信を生成することができ、そのパラメータは、セルＩＤ、Ｃ−ＲＮＴＩ、制御チャネルフォーマットのためのリソースインデックス、直交シーケンス、何らかの他のパラメータ、またはその組合せを含むことができる。その際、ＵＥは、複数のノードに制御メッセージを含む単一のアップリンク送信を送ることができる。ＵＥは、複数のノードのために必要とされる送信電力の中の最も高い必要とされる送信電力に基づいて、単一のアップリンク送信の送信電力を設定することができる。
【００７７】
[0091]図１０は、制御情報を送るためのプロセス１０００の例示的な設計を示す。プロセス１０００は、（以下で説明されるように）ＵＥによって、または何らかの他のエンティティによって実行され得る。ＵＥはマルチＵＬ対応ＵＥでありえ、マルチプルなアップリンクＣＣ上で同時に送信可能であり得る。ＵＥは、複数のセルサイトに位置する複数のノードと通信するために、ＵＥのために構成される複数のＣＣを決定することができる（ブロック１０１２）。ＵＥは複数のノードのノードごとに複数のＣＣのうちの少なくとも１つを用いて構成され得る。ＵＥは、送るべき制御情報が存在する各サブフレーム内で、少なくとも１つのＣＣ上で複数のノードに制御情報を送ることができる（ブロック１０１４）。
【００７８】
[0092]ＵＥは、ノードごとに別々のアップリンクＰＣＣを用いて構成され得る。ＵＥは複数のノードのノードごとに、そのＵＥのために構成されるアップリンクＰＣＣを決定することができる。ＵＥは、そのノードのためのアップリンクＰＣＣ上で、各ノードに制御情報を送ることができる。別の設計では、ＵＥはすべてのノードに対して共通のアップリンクＰＣＣを用いて構成され得る。ＵＥは、複数のノードに対して、そのＵＥのために構成される１つのアップリンクＰＣＣを決定することができる。ＵＥは、そのアップリンクＰＣＣ上で複数のノードに制御情報を送ることができる。複数のノードはアップリンクＰＣＣ上で時分割多重化、または周波数分割多重化され得る。両方の設計の場合に、ＵＥは、複数のノードのうちの各ノードについてアップリンクＰＣＣを用いてＵＥを構成するＲＲＣシグナリングを受信することができる。
【００７９】
[0093]図１１は、図１の基地局／ｅＮＢのうちの１つおよびＵＥのうちの１つでありえる、ノード１１０ｙ（たとえば、基地局またはｅＮＢ）およびＵＥ１２０ｙの設計のブロック図を示す。基地局１１０ｙはＴ個のアンテナ１１３４ａ〜１１３４ｔを備えることができ、ＵＥ１２０ｙはＲ個のアンテナ１１５２ａ〜１１５２ｒを備えることができ、ここで一般にＴ＞１およびＲ＞１である。
【００８０】
[0094]ノード１１０ｙにおいて、送信プロセッサ１１２０が、データソース１１１２から１つまたは複数のＵＥのためのデータを受信し、そのＵＥについて選択された１つまたは複数の変調および符号化方式（ＭＣＳ）に基づいて各ＵＥのためのデータを処理（たとえば、符号化および変調）し、すべてのＵＥのためのデータシンボルを与えることができる。また、送信プロセッサ１１２０は、（たとえば、ダウンリンク許可、アップリンク許可、ＣＳＩ要求，構成メッセージなどについての）制御情報を処理し、制御シンボルを与えることもできる。また、プロセッサ１１２０は、基準信号のための基準シンボルを生成することもできる。送信（ＴＸ）多入力多出力（ＭＩＭＯ）プロセッサ１１３０は、データシンボル、制御シンボル、および／または（適用可能な場合は）基準シンボルをプリコーディングすることができ、Ｔ個の出力シンボルストリームをＴ個の変調器（ＭＯＤ）１１３２ａ〜１１３２ｔに与えることができる。各変調器１１３２は、（たとえば、ＯＦＤＭなどのために）その出力シンボルストリームを処理して、出力サンプルストリームを得ることができる。各変調器１１３２はさらに、その出力サンプルストリームを調整（たとえば、アナログへの変換、増幅、フィルタ処理、およびアップコンバート）して、ダウンリンク信号を得ることができる。変調器１１３２ａ〜１１３２ｔからのＴ個のダウンリンク信号は、それぞれＴ個のアンテナ１１３４ａ〜１１３４ｔを介して送信され得る。
【００８１】
[0095]ＵＥ１２０ｙにおいて、アンテナ１１５２ａ〜１１５２ｒは、ノード１１０ｙおよび／または他のノードからダウンリンク信号を受信することができ、受信信号をそれぞれ復調器（ＤＥＭＯＤ）１１５４ａ〜１１５４ｒに与えることができる。各復調器１１５４は、その受信信号を調整（たとえば、フィルタ処理、増幅、ダウンコンバート、およびデジタル化）して、入力サンプルを得ることができる。各復調器１１５４はさらに、（たとえば、ＯＦＤＭなどのための）入力サンプルを処理して、受信シンボルを得ることができる。ＭＩＭＯ検出器１１５６は、すべてのＲ個の復調器１１５４ａ〜１１５４ｒから受信シンボルを入手し、適用可能な場合は受信シンボルに対してＭＩＭＯ検出を実行し、検出シンボルを与えることができる。受信プロセッサ１１５８は、検出されたシンボルを処理（たとえば、復調および復号）し、ＵＥ１２０ｙのための復号されたデータをデータシンク１１６０に与え、復号された制御情報をコントローラ／プロセッサ１１８０に与えることができる。チャネルプロセッサ１１８４は、異なるノードから、異なるＣＣ上で受信された基準信号に基づいて異なるノードおよび異なるＣＣのためのチャネル応答を測定することができ、当該の各ノードの各ＣＣについてのＣＳＩを決定することができる。
【００８２】
[0096]アップリンク上では、ＵＥ１２０ｙにおいて、送信プロセッサ１１６４が、データソース１１６２からデータを受信し、処理し、コントローラ／プロセッサ１１８０から制御情報を受信し、処理することができる。制御情報は、ＣＳＩ、ＡＣＫ／ＮＡＣＫ、ＳＲなどを備えることができる。また、プロセッサ１１６４は、１つまたは複数の基準信号のための基準シンボルを生成することもできる。送信プロセッサ１１６４からのシンボルは、適用可能な場合はＴＸ  ＭＩＭＯプロセッサ１１６６によってプリコードされ、さらに（たとえば、ＳＣ−ＦＤＭ、ＯＦＤＭなどのために）変調器１１５４ａ〜１１５４ｒによって処理され、ノード１１０ｙに送信され得る。ノード１１０ｙにおいて、ＵＥ１２０ｙおよび他のＵＥからのアップリンク信号は、アンテナ１１３４によって受信され、復調器１１３２によって処理され、適用可能な場合はＭＩＭＯ検出器１１３６によって検出され、受信プロセッサ１１３８によってさらに処理されて、ＵＥ１２０ｙおよび他のＵＥによって送られた復号済みのデータおよび制御情報を得ることができる。プロセッサ１１３８は、復号済みのデータをデータシンク１１３９に与え、復号済みの制御情報をコントローラ／プロセッサ１１４０に与えることができる。
【００８３】
[0097]コントローラ／プロセッサ１１４０および１１８０は、それぞれノード１１０ｙにおける動作およびＵＥ１２０ｙにおける動作を示すことができる。ＵＥ１２０ｙにおけるプロセッサ１１８０および／または他のプロセッサおよびモジュールは、図９のプロセス９００、図１０のプロセス１０００、および／または本明細書で説明される技法のための他のプロセスを実行または示すことができる。メモリ１１４２および１１８２は、それぞれノード１１０ｙおよびＵＥ１２０ｙのためのデータとプログラムコードとを記憶することができる。スケジューラ１１４４は、ダウンリンク上および／またはアップリンク上でのデータ送信のためにＵＥをスケジューリングすることができる。
【００８４】
[0098]図１２は、本開示の一態様を実現するために実行される例示的なブロックを示すブロック図である。ブロック１２００において、ＵＥは、ＵＥによって１つまたは複数のアップリンク制御信号を送信するための複数のアップリンク制御チャネルの構成を受信する。その構成は、ＲＲＣシグナリングを介してＵＥによって受信される場合があり、アップリンク制御チャネルと、これらのアップリンク制御チャネルがＵＥによって送信されることになるリソースとに関する構成を含む。
【００８５】
[0099]ブロック１２０１において、ＵＥは、その構成に基づいてアップリンク制御チャネルを生成し、各アップリンク制御チャネルは、ＵＥとマルチフロー通信するマルチプルなノードのうちの対応する１つのノードのために生成される。先に示されたように、マルチフロー通信は、ノードが同一の場所に位置せず、各ノード間で理想的なバックホール通信条件を有しないことを示す。ＵＥは、その構成によって示されるような各アップリンク制御チャネルのためのアップリンク制御情報を生成する。
【００８６】
[00100]ブロック１２０２において、ＵＥは、その構成に従って、対応するノードに各アップリンク制御チャネルを送信する。各アップリンク制御チャネルは、特定の対応するノードに送信する１つまたは複数のアップリンク制御信号を有する。
【００８７】
[00101]本開示の種々の態様において、ＵＥは、マルチプルなアップリンク無線を使用する同時のアップリンク送信が可能であり、一方、本開示の他の態様では、ＵＥは、一度に単一の周波数を使用してアップリンク送信が可能であるにすぎない場合がある。図１３は、マルチプルアップリンク送信能力を有するＵＥの場合の、本開示の一態様を実現するために実行される例示的なブロックを示すブロック図である。ブロック１３００において、マルチプルアップリンク対応ＵＥが、ＵＥとマルチフロー通信するマルチプルなノードに送信するためのアップリンク制御チャネルの構成を受信する。その構成は、ＲＲＣシグナリングを介してＵＥによって受信され得る。
【００８８】
[00102]ブロック１３０１において、ＵＥは、マルチプルなＣＣを用いてＵＥと通信する第１のノードのための第１のアップリンク制御チャネルを生成する。したがって、ＵＥは、構成された１組のＣＣとともにキャリアアグリゲーションを用いて第１のノードと通信する。ＵＥは、その構成に従って、第１のノードのための種々の１つまたは複数のアップリンク制御信号を用いて第１のアップリンク制御チャネルを生成する。
【００８９】
[00103]ブロック１３０２において、ＵＥは、種々のＣＣを用いて、対応する追加のノードに送信するための構成に従って、追加のアップリンク制御チャネルを生成する。ＵＥが通信している他のノードのうちのいくつかは単一のＣＣを介して通信している場合があり、一方、ＵＥと通信しているノードのうちの他のノードは、キャリアアグリゲーションと、構成された１組のマルチプルＣＣとを用いて通信している場合もある。ＵＥは、第１のアップリンク制御チャネルを生成するのと同時に、それらのノードのための追加のアップリンク制御情報を有する追加のアップリンク制御チャネルを生成することができる。
【００９０】
[00104]ブロック１３０３において、ＵＥは、その構成によって指定または識別されたマルチプルＣＣのうちのプライマリＣＣを用いて第１のノードに第１のアップリンク制御チャネルを送信する。ＵＥによって受信された構成情報は、ＵＥが第１のノードと通信しているマルチプルＣＣのうちのどのＣＣが共通の制御チャネルを送るために使用されるべきであるかを示す。マルチプルＣＣのいずれかおよび第１のノードに関連するアップリンク制御情報は、指定されたプライマリＣＣを用いて送信されるアップリンク制御チャネルに含まれることになる。
【００９１】
[00105]ブロック１３０４において、ＵＥは、その構成に従って、対応するノードに追加のアップリンク制御チャネルを送信する。他のノードと他のＣＣとに関する構成情報を用いて、ＵＥは、他のＣＣおよびノードのための追加のアップリンク制御情報を含む他のアップリンク制御チャネルを他のノードに送信する。
【００９２】
[00106]図１４は、シングルアップリンク送信能力のみを有するＵＥの場合の、本開示の一態様を実現するために実行される例示的なブロックを示すブロック図である。ブロック１４００において、ＵＥは、ＵＥとマルチフロー通信するマルチプルなノードに送信するためのアップリンク制御チャネルの構成を受信する。その構成は、ＲＲＣシグナリングを介してＵＥによって受信され得る。
【００９３】
[00107]ブロック１４０１において、ＵＥは、その構成に基づいてアップリンク制御チャネルを生成し、複数のアップリンク制御チャネルの各々は、ＵＥとマルチフロー通信するマルチプルなノードのうちの対応する１つのノードについて生成される。
【００９４】
[00108]ブロック１４０２において、ＵＥは、その構成によって指定されたパターンに従って、各アップリンク制御チャネルを対応するノードに送信する。ＵＥはシングルアップリンク送信対応ＵＥであるので、一度に１つの周波数においてのみ送信することができる。したがって、その構成は、ＵＥが、対応するノードに関連付けられる種々のアップリンク制御信号を含む、適切なノードへの適切なアップリンク制御チャネルを適切な周波数または時間において多重化できるような、ＴＤＭパターンまたはＦＤＭパターンなどの送信パターンを与えることができる。ＴＤＭ手法を用いるとき、その構成情報は、ＡＣＫ／ＮＡＣＫの集約と、ＣＳＩフィードバックとを提供することもできる。
【００９５】
[00109]情報および信号は、多種多様な技術および技法のいずれかを使用して表され得ることを当業者は理解されよう。たとえば、上記の説明全体にわたって言及され得るデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【００９６】
[00110]さらに、本明細書の開示に関して説明された種々の例示的な論理ブロック、モジュール、回路、およびアルゴリズムステップは、電子ハードウェア、コンピュータソフトウェア、またはその両方の組合せとして実現され得ることを、当業者は諒解されよう。ハードウェアとソフトウェアのこの互換性を明確に示すために、種々の例示的な構成要素、ブロック、モジュール、回路、およびステップが、上記では概してそれらの機能に関して説明されてきた。そのような機能がハードウェアとして実現されるか、ソフトウェアとして実現されるかは、特定の適用例および全体的なシステムに課された設計制約によって決まる。当業者は、説明された機能を特定の適用例ごとに様々な方法で実現できるが、そのような実現の決定は、本開示の範囲からの逸脱を生じるものと解釈されるべきではない。
【００９７】
[00111]本明細書の開示に関して説明された種々の例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理回路、個別ハードウェア構成要素、または本明細書で説明された機能を実行するように設計されたそれらの任意の組合せを用いて実現または実行され得る。汎用プロセッサはマイクロプロセッサでありえるが、代替形態として、プロセッサは、任意の従来のプロセッサ、コントローラ、マイクロコントローラ、またはステートマシンでありえる。また、プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実現され得る。
【００９８】
[00112]本明細書の開示に関して説明された方法またはアルゴリズムの諸ステップは、直接ハードウェアで具現されるか、プロセッサによって実行されるソフトウェアモジュールで具現されるか、またはその２つの組合せで具現され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体内に常駐することができる。例示的な記憶媒体は、その記憶媒体からプロセッサが情報を読み取り、その記憶媒体にプロセッサが情報を書き込むことができるようにプロセッサに結合される。代替形態では、記憶媒体はプロセッサと一体化され得る。プロセッサおよび記憶媒体はＡＳＩＣ内に存在することもできる。ＡＳＩＣはユーザ端末内に存在することができる。代替形態では、プロセッサおよび記憶媒体は、ユーザ端末内の個別構成要素として存在することができる。
【００９９】
[00113]１つまたは複数の例示的な設計では、説明された機能は、ハードウェア、ソフトウェア、ファームウェア、またはその任意の組合せにおいて実現され得る。ソフトウェアにおいて実現される場合には、それらの機能は、コンピュータ可読媒体上の１つまたは複数の命令またはコードとして記憶されるか、または送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用コンピュータまたは専用コンピュータによってアクセスされ得る任意の利用可能な媒体でありえる。例として、限定はしないが、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または命令もしくはデータ構造の形態の所望のプログラムコード手段を搬送もしくは記憶するために使用され、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、またはデジタル加入者線（ＤＳＬ）を使用して、ウェブサイト、サーバ、またはその他のリモートソースから送信される場合には、同軸ケーブル、光ファイバーケーブル、ツイストペア、またはＤＳＬは、媒体の定義に含まれる。ディスク（disk）およびディスク（disc）は、本明細書において用いられるときに、コンパクトディスク（disc）（ＣＤ）と、レーザーディスク（登録商標）（disc）と、光ディスク（disc）と、デジタル多用途ディスク（disc）（ＤＶＤ）と、フロッピー（登録商標）ディスク（disk）と、Ｂｌｕ−ｒａｙ（登録商標）ディスク（disc）とを含み、ディスク（disk）は、通常、データを磁気的に再生し、ディスク（disc）は、データをレーザーで光学的に再生する。上記の組合せもコンピュータ可読媒体の範囲内に含まれるべきである。
【０１００】
[00114]本開示についての以上の説明は、いかなる当業者も本開示を作成または使用することができるようにするために提供される。本開示への種々の修正は当業者には容易に明らかとなり、本明細書で規定された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
以下に、出願当初の特許請求の範囲に記載された発明を付記する。
［Ｃ１］
ワイヤレス通信の方法であって、
ユーザ機器（ＵＥ）において、前記ＵＥによって１つまたは複数のアップリンク制御信号を送信するための複数のアップリンク制御チャネルの構成を受信することと、
前記ＵＥによって、前記構成に基づいて前記複数のアップリンク制御チャネルを生成することと、ここにおいて、前記複数のアップリンク制御チャネルの各々は、前記ＵＥとマルチフロー通信する複数のノードのうちの対応する１つのノードについて生成され、前記複数のノードの各々は互いにコロケートされていない、
前記ＵＥによって、前記複数のアップリンク制御チャネルの各々を前記複数のノードのうちの前記対応する１つのノードに送信することとを含む、ワイヤレス通信の方法。
［Ｃ２］
前記ＵＥは、複数のコンポーネントキャリア（ＣＣ）上で同時のアップリンク送信が可能であり、前記複数のＣＣは前記複数のノードよりも多く、前記複数のアップリンク制御チャネルを前記生成することは、
前記複数のノードのうちの単一のノードのための共通のアップリンク制御チャネルを生成することを含み、前記ＵＥは、前記複数のＣＣのうちの２つ以上のＣＣを介して前記単一のノードと通信し、
前記送信することは、
前記２つ以上のＣＣのうちの１つを介して前記共通のアップリンク制御チャネルを前記単一のノードに送信することを含み、前記２つ以上のＣＣのうちの前記１つは、前記構成において前記ＵＥに識別される、上記Ｃ１に記載の方法。
［Ｃ３］
前記単一のノードは低電力発展型ノードＢ（ｅＮＢ）であり、前記複数のノードのうちの他のノードは、前記複数のＣＣのうちの２つ以上の追加のＣＣを介して前記ＵＥと通信するマクロｅＮＢであり、前記複数のアップリンク制御チャネルを前記生成することはさらに、
前記マクロｅＮＢのためのマクロ共通アップリンク制御チャネルを生成することを含み、
前記送信することはさらに、
前記２つ以上の追加のＣＣのマクロプライマリセル（Ｐセル）を介して前記マクロ共通アップリンク制御チャネルを前記マクロｅＮＢに送信することを含み、前記Ｐセルは、前記構成において前記ＵＥに識別され、前記共通のアップリンク制御チャネルがそれを通じて送信される前記２つ以上のＣＣのうちの１つは、低電力Ｐセルである、上記Ｃ２に記載の方法。
［Ｃ４］
前記ＵＥが前記複数のノードのうちの第１のノードとそれを通じて通信する１つまたは複数のＣＣは、前記ＵＥが前記複数のノードのうちの第２のノードとそれを通じて通信する１つまたは複数の追加のＣＣとは異なるタイミング調整グループ（ＴＡＧ）にある、上記Ｃ１に記載の方法。
［Ｃ５］
前記ＵＥは、１つまたは複数のＣＣを介して前記複数のノードのうちの第１のノードと通信し、前記ＵＥは、１つまたは複数の追加のＣＣを介して前記複数のノードのうちの第２のノードと通信し、
前記１つまたは複数のＣＣが１つのＣＣを含み、前記１つまたは複数の追加のＣＣが１つの追加のＣＣを含むとき、前記１つのＣＣは前記１つの追加のＣＣとは異なるＴＡＧにあり、
前記１つまたは複数のＣＣが少なくとも２つのＣＣを含むとき、前記少なくとも２つのＣＣの各々は同じＴＡＧまたは異なるＴＡＧのうちの一方にある、上記Ｃ１に記載の方法。
［Ｃ６］
前記ＵＥは、複数のＣＣについてシングルアップリンク送信可能であり、前記生成することは、
シングルアップリンク制御チャネルを生成することを含み、前記構成は、
時分割多重化、ここにおいて、前記構成は、前記シングルアップリンク制御チャネルが多重化される時分割多重化パターンを指定する、または
周波数分割多重化、ここにおいて、前記構成は、前記シングルアップリンク制御チャネルが多重化される複数の周波数リソースを指定する、
のうちの１つを用いて前記シングルアップリンク制御チャネルの生成を指定し、
前記送信することは、
時分割多重化または周波数分割多重化のうちの１つに従って前記シングルアップリンク制御チャネルを送信することを含む、上記Ｃ１に記載の方法。
［Ｃ７］
前記シングルアップリンク制御チャネルは、時分割多重化を用いて生成され、前記方法はさらに、
前記複数のノードからのマルチフロー通信に応答して、集約窓内の２つ以上の肯定応答（ＡＣＫ）／否定応答（ＮＡＫ）信号を前記シングルアップリンク制御チャネルへと集約することを含み、前記集約窓のサイズは前記時分割多重化パターンに基づいて決定される、上記Ｃ６に記載の方法。
［Ｃ８］
前記シングルアップリンク制御チャネルは周波数分割多重化を用いて生成され、前記方法はさらに、
前記ＵＥにおいて、前記シングルアップリンク制御チャネルが多重化される複数の周波数リソースの各々について異なる送信機電力制御信号を受信することを含む、上記Ｃ６に記載の方法。
［Ｃ９］
前記構成は、前記複数のノードのうちの１つが前記複数のノードのうちの他のノードとは異なるタイミング調整グループ（ＴＡＧ）にあることを示し、前記生成することは、
時分割多重化を用いて前記複数のアップリンク制御チャネルのうちの１つのアップリンク制御チャネルを生成することを含む、上記Ｃ６に記載の方法。
［Ｃ１０］
前記複数のノードのうちの前記１つのノードは前記複数のノードのうちの他のノードと同じＴＡＧにある、上記Ｃ６に記載の方法。
［Ｃ１１］
前記構成は、無線リソース制御（ＲＲＣ）メッセージを介して受信される、上記Ｃ１に記載の方法。
［Ｃ１２］
前記構成は、前記複数のノード内の各ノードのための１つのアップリンクコンポーネントキャリアをプライマリコンポーネントキャリア（ＰＣＣ）として指定する、上記Ｃ１に記載の方法。
［Ｃ１３］
前記複数の制御チャネルを送信することは、前記複数のノードのうちの前記対応する１つのノードのためのＰＣＣとして指定されたアップリンクコンポーネントキャリア上で、前記複数のノードのうちの前記対応する１つのノードに関連付けられる制御情報を送信することを含む、上記Ｃ１２に記載の方法。
［Ｃ１４］
前記ＵＥとマルチフロー通信する第１のノードに対して指定されるＰＣＣは、前記ＵＥとマルチフロー通信する第２のノードに対して指定されるＰＣＣとは異なるタイミングアドバンスグループ（ＴＡＧ）に属する、上記Ｃ１２に記載の方法。
［Ｃ１５］
前記複数のノードは、第１のノードがマクロノードであり、第２のノードがフェムトノード、ピコノードまたはホームｅＮＢのうちの１つであるような、異なる電力クラスのノードを含む、上記Ｃ１４に記載の方法。
［Ｃ１６］
前記構成は、前記複数のノードにおける少なくとも１つのノードのコンポーネントキャリアに対するキャリアアグリゲーション構成を含む、上記Ｃ１４に記載の方法。
［Ｃ１７］
ワイヤレス通信のために構成された装置であって、
ユーザ機器（ＵＥ）において、前記ＵＥによって１つまたは複数のアップリンク制御信号を送信するための複数のアップリンク制御チャネルの構成を受信するための手段と、
前記ＵＥによって、前記構成に基づいて前記複数のアップリンク制御チャネルを生成するための手段と、ここにおいて、前記複数のアップリンク制御チャネルの各々は、前記ＵＥとマルチフロー通信する複数のノードのうちの対応する１つのノードについて生成され、前記複数のノードの各々は互いにコロケートされていない、
前記ＵＥによって、前記複数のアップリンク制御チャネルの各々を前記複数のノードのうちの前記対応する１つのノードに送信するための手段とを含む、ワイヤレス通信のために構成された装置。
［Ｃ１８］
前記ＵＥは、複数のコンポーネントキャリア（ＣＣ）上で同時のアップリンク送信が可能であり、前記複数のＣＣは前記複数のノードよりも多く、前記複数のアップリンク制御チャネルを生成するための前記手段は、
前記複数のノードのうちの単一のノードのための共通のアップリンク制御チャネルを生成するための手段を含み、前記ＵＥは、前記複数のＣＣのうちの２つ以上のＣＣを介して前記単一のノードと通信し、
送信するための前記手段は、
前記２つ以上のＣＣのうちの１つを介して前記共通のアップリンク制御チャネルを前記単一のノードに送信するための手段を含み、前記２つ以上のＣＣのうちの前記１つは、前記構成において前記ＵＥに識別される、上記Ｃ１７に記載の装置。
［Ｃ１９］
前記単一のノードは低電力発展型ノードＢ（ｅＮＢ）であり、前記複数のノードのうちの他のノードは、前記複数のＣＣのうちの２つ以上の追加のＣＣを介して前記ＵＥと通信するマクロｅＮＢであり、前記複数のアップリンク制御チャネルを生成する前記手段はさらに、
前記マクロｅＮＢのためのマクロ共通アップリンク制御チャネルを生成するための手段を含み、
送信するための前記手段はさらに、
前記２つ以上の追加のＣＣのマクロプライマリセル（Ｐセル）を介して前記マクロ共通アップリンク制御チャネルを前記マクロｅＮＢに送信するための手段を含み、前記Ｐセルは、前記構成において前記ＵＥに識別され、共通アップリンク制御チャネルがそれを通じて送信される前記２つ以上のＣＣのうちの１つは、低電力Ｐセルである、上記Ｃ１８に記載の装置。
［Ｃ２０］
前記ＵＥが前記複数のノードのうちの第１のノードとそれを通じて通信する１つまたは複数のＣＣは、前記ＵＥが前記複数のノードのうちの第２のノードとそれを通じて通信する１つまたは複数の追加のＣＣとは異なるタイミング調整グループ（ＴＡＧ）にある、上記Ｃ１７に記載の装置。
［Ｃ２１］
前記ＵＥは、１つまたは複数のＣＣを介して前記複数のノードのうちの第１のノードと通信し、前記ＵＥは、１つまたは複数の追加のＣＣを介して前記複数のノードのうちの第２のノードと通信し、
前記１つまたは複数のＣＣが１つのＣＣを含み、前記１つまたは複数の追加のＣＣが１つの追加のＣＣを含むとき、前記１つのＣＣは前記１つの追加のＣＣとは異なるＴＡＧにあり、
前記１つまたは複数のＣＣが少なくとも２つのＣＣを含むとき、前記少なくとも２つのＣＣの各々は同じＴＡＧまたは異なるＴＡＧのうちの一方にある、上記Ｃ１７に記載の装置。
［Ｃ２２］
前記ＵＥは、複数のＣＣについてシングルアップリンク送信可能であり、生成するための前記手段は、
シングルアップリンク制御チャネルを生成するための手段を含み、前記構成は、
時分割多重化、ここにおいて、前記構成は、前記シングルアップリンク制御チャネルが多重化される時分割多重化パターンを指定する、または
周波数分割多重化、ここにおいて、前記構成は、前記シングルアップリンク制御チャネルが多重化される複数の周波数リソースを指定する、
のうちの１つを用いて前記シングルアップリンク制御チャネルの生成を指定し、
送信するための前記手段は、
時分割多重化または周波数分割多重化のうちの１つに従って前記シングルアップリンク制御チャネルを送信するための手段を含む、上記Ｃ１７に記載の装置。
［Ｃ２３］
前記シングルアップリンク制御チャネルは、時分割多重化を用いて生成され、前記装置はさらに、
前記複数のノードからのマルチフロー通信に応答して、集約窓内の２つ以上の肯定応答（ＡＣＫ）／否定応答（ＮＡＫ）信号を前記シングルアップリンク制御チャネルへと集約するための手段を含み、前記集約窓のサイズは前記時分割多重化パターンに基づいて決定される、上記Ｃ２２に記載の装置。
［Ｃ２４］
前記シングルアップリンク制御チャネルは周波数分割多重化を用いて生成され、前記装置はさらに、
前記ＵＥにおいて、前記シングルアップリンク制御チャネルが多重化される前記複数の周波数リソースの各々について異なる送信機電力制御信号を受信するための手段を含む、上記Ｃ２２に記載の装置。
［Ｃ２５］
前記構成は、前記複数のノードのうちの１つが前記複数のノードのうちの他のノードとは異なるタイミング調整グループにあることを示し、生成するための前記手段は、
時分割多重化を用いて前記複数のアップリンク制御チャネルのうちの１つのアップリンク制御チャネルを生成するための手段を含む、上記Ｃ２２に記載の装置。
［Ｃ２６］
前記複数のノードのうちの前記１つのノードは前記複数のノードのうちの他のノードと同じＴＡＧにある、上記Ｃ２２に記載の装置。
［Ｃ２７］
前記構成は無線リソース制御（ＲＲＣ）メッセージを介して受信される、上記Ｃ１７に記載の装置。
［Ｃ２８］
前記構成は、前記複数のノード内の各ノードのための１つのアップリンクコンポーネントキャリアをプライマリコンポーネントキャリア（ＰＣＣ）として指定する、上記Ｃ１７に記載の装置。
［Ｃ２９］
前記複数の制御チャネルを送信するための手段は、前記複数のノードのうちの前記対応する１つのノードのためのＰＣＣとして指定されたアップリンクコンポーネントキャリア上で、前記複数のノードのうちの前記対応する１つのノードに関連付けられる制御情報を送信するための手段を含む、上記Ｃ２８に記載の装置。
［Ｃ３０］
前記ＵＥとマルチフロー通信する第１のノードに対して指定されるＰＣＣは、前記ＵＥとマルチフロー通信する第２のノードに対して指定されるＰＣＣとは異なるタイミングアドバンスグループ（ＴＡＧ）に属する、上記Ｃ２８に記載の装置。
［Ｃ３１］
前記複数のノードは、第１のノードがマクロノードであり、第２のノードがフェムトノード、ピコノードまたはホームｅＮＢのうちの１つであるような、異なる電力クラスのノードを含む、上記Ｃ３０に記載の装置。
［Ｃ３２］
前記構成は、前記複数のノードのうちの少なくとも１つのノードのコンポーネントキャリアに対するキャリアアグリゲーション構成を含む、上記Ｃ３０に記載の装置。
［Ｃ３３］
ワイヤレスネットワークにおけるワイヤレス通信のためのコンピュータプログラム製品であって、
プログラムコードを記録した非一時的コンピュータ可読媒体を含み、前記プログラムコードは、
ユーザ機器（ＵＥ）において、前記ＵＥによって１つまたは複数のアップリンク制御信号を送信するための複数のアップリンク制御チャネルの構成を受信することを、コンピュータに実行させるためのプログラムコードと、
前記ＵＥによって、前記構成に基づいて前記複数のアップリンク制御チャネルを生成することを、前記コンピュータに実行させるためのプログラムコードと、ここにおいて、前記複数のアップリンク制御チャネルの各々は、前記ＵＥとマルチフロー通信する複数のノードのうちの対応する１つのノードについて生成され、前記複数のノードの各々は互いにコロケートされていない、
前記ＵＥによって、前記複数のアップリンク制御チャネルの各々を前記複数のノードのうちの前記対応する１つのノードに送信することを、前記コンピュータに実行させるためのプログラムコードとを含む、コンピュータプログラム製品。
［Ｃ３４］
前記ＵＥは、複数のコンポーネントキャリア（ＣＣ）上で同時のアップリンク送信が可能であり、前記複数のＣＣは前記複数のノードよりも多く、前記複数のアップリンク制御チャネルを生成することを前記コンピュータに実行させるための前記プログラムコードは、
前記複数のノードのうちの単一のノードのための共通のアップリンク制御チャネルを生成することを前記コンピュータに実行させるためのプログラムコードを含み、前記ＵＥは、前記複数のＣＣのうちの２つ以上のＣＣを介して前記単一のノードと通信し、
送信することを前記コンピュータに実行させるための前記プログラムコードは、
前記２つ以上のＣＣのうちの１つを介して前記共通のアップリンク制御チャネルを前記単一のノードに送信することを前記コンピュータに実行させるためのプログラムコードを含み、前記２つ以上のＣＣのうちの前記１つは、前記構成において前記ＵＥに識別される、上記Ｃ３３に記載のコンピュータプログラム製品。
［Ｃ３５］
前記単一のノードは低電力発展型ノードＢ（ｅＮＢ）であり、前記複数のノードのうちの他のノードは、前記複数のＣＣのうちの２つ以上の追加のＣＣを介して前記ＵＥと通信するマクロｅＮＢであり、前記複数のアップリンク制御チャネルを生成することを前記コンピュータに実行させるための前記プログラムコードはさらに、
前記マクロｅＮＢのためのマクロ共通アップリンク制御チャネルを生成することを前記コンピュータに実行させるためのプログラムコードを含み、
送信することを前記コンピュータに実行させるための前記プログラムコードはさらに、
前記２つ以上の追加のＣＣのマクロプライマリセル（Ｐセル）を介して前記マクロ共通アップリンク制御チャネルを前記マクロｅＮＢに送信することを、前記コンピュータに実行させるためのプログラムコードを含み、前記Ｐセルは、前記構成において前記ＵＥに識別され、共通アップリンク制御チャネルがそれを通じて送信される前記２つ以上のＣＣのうちの１つは、低電力Ｐセルである、上記Ｃ３４に記載のコンピュータプログラム製品。
［Ｃ３６］
前記ＵＥは、複数のＣＣについてシングルアップリンク送信可能であり、生成することを前記コンピュータに実行させるための前記プログラムコードは、
シングルアップリンク制御チャネルを生成することを前記コンピュータに実行させるためのプログラムコードを含み、前記構成は、
時分割多重化、ここにおいて、前記構成は、前記シングルアップリンク制御チャネルが多重化される時分割多重化パターンを指定する、または
周波数分割多重化、ここにおいて、前記構成は、前記シングルアップリンク制御チャネルが多重化される複数の周波数リソースを指定する、
のうちの１つを用いて前記シングルアップリンク制御チャネルの生成を指定し、
送信することを前記コンピュータに実行させるための前記プログラムコードは、
時分割多重化または周波数分割多重化のうちの１つに従って前記シングルアップリンク制御チャネルを送信することを前記コンピュータに実行させるためのプログラムコードを含む、上記Ｃ３３に記載のコンピュータプログラム製品。
［Ｃ３７］
前記シングルアップリンク制御チャネルは周波数分割多重化を用いて生成され、前記コンピュータプログラム製品はさらに、
前記ＵＥにおいて、前記シングルアップリンク制御チャネルが多重化される複数の周波数リソースの各々について異なる送信機電力制御信号を受信することを、前記コンピュータに実行させるためのプログラムコードを含む、上記Ｃ３６に記載のコンピュータプログラム製品。
［Ｃ３８］
前記構成は、前記複数のノードのうちの１つが前記複数のノードのうちの他のノードとは異なるタイミング調整グループにあることを示し、生成することを前記コンピュータに実行させるための前記プログラムコードは、
時分割多重化を用いて前記複数のアップリンク制御チャネルのうちの１つのアップリンク制御チャネルを生成することを、前記コンピュータに実行させるためのプログラムコードを含む、上記Ｃ３６に記載のコンピュータプログラム製品。
［Ｃ３９］
前記構成は、前記複数のノード内の各ノードのための１つのアップリンクコンポーネントキャリアをプライマリコンポーネントキャリア（ＰＣＣ）として指定する、上記Ｃ３３に記載のコンピュータプログラム製品。
［Ｃ４０］
前記複数の制御チャネルを送信することを前記コンピュータに実行させるための前記プログラムコードは、前記複数のノードのうちの前記対応する１つのノードのためのＰＣＣとして指定されたアップリンクコンポーネントキャリア上で、前記複数のノードのうちの前記対応する１つのノードに関連付けられる制御情報を送信することを、前記コンピュータに実行させるためのプログラムコードを含む、上記Ｃ３９に記載のコンピュータプログラム製品。
［Ｃ４１］
前記ＵＥとマルチフロー通信する第１のノードに対して指定されるＰＣＣは、前記ＵＥとマルチフロー通信する第２のノードに対して指定されるＰＣＣとは異なるタイミングアドバンスグループ（ＴＡＧ）に属する、上記Ｃ３９に記載のコンピュータプログラム製品。
［Ｃ４２］
前記複数のノードは、第１のノードがマクロノードであり、第２のノードがフェムトノード、ピコノードまたはホームｅＮＢのうちの１つであるような、異なる電力クラスのノードを含む、上記Ｃ４１に記載のコンピュータプログラム製品。
［Ｃ４３］
前記構成は、前記複数のノードのうちの少なくとも１つのノードのコンポーネントキャリアに対するキャリアアグリゲーション構成を含む、上記Ｃ４１に記載のコンピュータプログラム製品。
［Ｃ４４］
ワイヤレス通信のために構成された装置であって、
少なくとも１つのプロセッサと、
前記少なくとも１つのプロセッサに結合されたメモリとを備え、
前記少なくとも１つのプロセッサは、
ユーザ機器（ＵＥ）において、前記ＵＥによって１つまたは複数のアップリンク制御信号を送信するための複数のアップリンク制御チャネルの構成を受信することと、
前記ＵＥによって、前記構成に基づいて前記複数のアップリンク制御チャネルを生成することと、ここにおいて、前記複数のアップリンク制御チャネルの各々は、前記ＵＥとマルチフロー通信する複数のノードのうちの対応する１つのノードについて生成され、前記複数のノードの各々は互いにコロケートされていない、
前記ＵＥによって、前記複数のアップリンク制御チャネルの各々を前記複数のノードのうちの前記対応する１つのノードに送信することと、
を実行するように構成される、装置。
［Ｃ４５］
前記ＵＥは、複数のコンポーネントキャリア（ＣＣ）上で同時のアップリンク送信が可能であり、前記複数のＣＣは前記複数のノードよりも多く、前記少なくとも１つのプロセッサが前記複数のアップリンク制御チャネルを生成するための前記構成は、
前記少なくとも１つのプロセッサが、前記複数のノードのうちの単一のノードのための共通のアップリンク制御チャネルを生成するための構成を含み、前記ＵＥは、前記複数のＣＣのうちの２つ以上のＣＣを介して前記単一のノードと通信し、
前記少なくとも１つのプロセッサが送信するための前記構成は、
前記少なくとも１つのプロセッサが前記２つ以上のＣＣのうちの１つを介して前記共通のアップリンク制御チャネルを前記単一のノードに送信するための構成を含み、前記２つ以上のＣＣのうちの前記１つは、前記構成において前記ＵＥに識別される、上記Ｃ４４に記載の装置。
［Ｃ４６］
前記単一のノードは低電力発展型ノードＢ（ｅＮＢ）であり、前記複数のノードのうちの他のノードは、前記複数のＣＣのうちの２つ以上の追加のＣＣを介して前記ＵＥと通信するマクロｅＮＢであり、前記少なくとも１つのプロセッサが前記複数のアップリンク制御チャネルを生成するための前記構成はさらに、
前記少なくとも１つのプロセッサが前記マクロｅＮＢのためのマクロ共通アップリンク制御チャネルを生成するための構成を含み、
前記少なくとも１つのプロセッサが送信するための前記構成はさらに、
前記少なくとも１つのプロセッサが、前記２つ以上の追加のＣＣのマクロプライマリセル（Ｐセル）を介して前記マクロ共通アップリンク制御チャネルを前記マクロｅＮＢに送信するための構成を含み、前記Ｐセルは、前記構成において前記ＵＥに識別され、前記共通のアップリンク制御チャネルがそれを通じて送信される前記２つ以上のＣＣのうちの１つは、低電力Ｐセルである、上記Ｃ４５に記載の装置。
［Ｃ４７］
前記ＵＥが前記複数のノードのうちの第１のノードとそれを通じて通信する１つまたは複数のＣＣは、前記ＵＥが前記複数のノードのうちの第２のノードとそれを通じて通信する１つまたは複数の追加のＣＣとは異なるタイミング調整グループ（ＴＡＧ）にある、上記Ｃ４４に記載の装置。
［Ｃ４８］
前記ＵＥは、１つまたは複数のＣＣを介して前記複数のノードのうちの第１のノードと通信し、前記ＵＥは、１つまたは複数の追加のＣＣを介して前記複数のノードのうちの第２のノードと通信し、
前記１つまたは複数のＣＣが１つのＣＣを含み、前記１つまたは複数の追加のＣＣが１つの追加のＣＣを含むとき、前記１つのＣＣは前記１つの追加のＣＣとは異なるＴＡＧにあり、
前記１つまたは複数のＣＣが少なくとも２つのＣＣを含むとき、前記少なくとも２つのＣＣの各々は同じＴＡＧまたは異なるＴＡＧのうちの一方にある、上記Ｃ４４に記載の装置。
［Ｃ４９］
前記ＵＥは、複数のＣＣについてシングルアップリンク送信可能であり、前記少なくとも１つのプロセッサが生成するための前記構成は、
前記少なくとも１つのプロセッサが、前記複数のノードの各ノードのためのシングルアップリンク制御チャネルを生成するための構成を含み、前記構成は、
時分割多重化、ここにおいて、前記構成は、前記シングルアップリンク制御チャネルが多重化される時分割多重化パターンを指定する、または
周波数分割多重化、ここにおいて、前記構成は、前記シングルアップリンク制御チャネルが多重化される複数の周波数リソースを指定する、
のうちの１つを用いて前記シングルアップリンク制御チャネルの生成を指定し、
前記少なくとも１つのプロセッサが送信するための前記構成は、
前記少なくとも１つのプロセッサが、時分割多重化または周波数分割多重化のうちの１つに従って前記シングルアップリンク制御チャネルを送信するための構成を含む、上記Ｃ４４に記載の装置。
［Ｃ５０］
前記シングルアップリンク制御チャネルは、時分割多重化を用いて生成され、前記装置はさらに、
前記少なくとも１つのプロセッサが、前記複数のノードからのマルチフロー通信に応答して、集約窓内の２つ以上の肯定応答（ＡＣＫ）／否定応答（ＮＡＫ）信号を前記シングルアップリンク制御チャネルへと集約するための構成を含み、前記集約窓のサイズは前記時分割多重化パターンに基づいて決定される、上記Ｃ４９に記載の装置。
［Ｃ５１］
前記シングルアップリンク制御チャネルは周波数分割多重化を用いて生成され、前記装置はさらに、
前記少なくとも１つのプロセッサが、前記ＵＥにおいて、前記シングルアップリンク制御チャネルが多重化される複数の周波数リソースの各々について異なる送信機電力制御信号を受信するための構成を含む、上記Ｃ４９に記載の装置。
［Ｃ５２］
前記構成は、前記複数のノードのうちの１つが前記複数のノードのうちの他のノードとは異なるタイミング調整グループにあることを示し、前記少なくとも１つのプロセッサが生成するための前記構成は、
前記少なくとも１つのプロセッサが、時分割多重化を用いて前記複数のアップリンク制御チャネルのうちの１つのアップリンク制御チャネルを生成するための構成を含む、上記Ｃ４９に記載の装置。
［Ｃ５３］
前記複数のノードのうちの前記１つのノードは前記複数のノードのうちの他のノードと同じＴＡＧにある、上記Ｃ４９に記載の装置。
［Ｃ５４］
前記構成は無線リソース制御（ＲＲＣ）メッセージを介して受信される、上記Ｃ４４に記載の装置。
［Ｃ５５］
前記構成は、前記複数のノード内の各ノードのための１つのアップリンクコンポーネントキャリアをプライマリコンポーネントキャリア（ＰＣＣ）として指定する、上記Ｃ４４に記載のコンピュータプログラム製品。
［Ｃ５６］
前記複数の制御チャネルを送信することをコンピュータに実行させるためのプログラムコードは、前記複数のノードのうちの前記対応する１つのノードのためのＰＣＣとして指定されたアップリンクコンポーネントキャリア上で、前記複数のノードのうちの前記対応する１つのノードに関連付けられる制御情報を送信することを、コンピュータに実行させるためのプログラムコードを含む、上記Ｃ５５に記載のコンピュータプログラム製品。
［Ｃ５７］
前記ＵＥとマルチフロー通信する第１のノードに対して指定されるＰＣＣは、前記ＵＥとマルチフロー通信する第２のノードに対して指定されるＰＣＣとは異なるタイミングアドバンスグループ（ＴＡＧ）に属する、上記Ｃ５５に記載のコンピュータプログラム製品。
［Ｃ５８］
前記複数のノードは、第１のノードがマクロノードであり、第２のノードがフェムトノード、ピコノードまたはホームｅＮＢのうちの１つであるような、異なる電力クラスのノードを含む、上記Ｃ５７に記載のコンピュータプログラム製品。
［Ｃ５９］
前記構成は、前記複数のノードのうちの少なくとも１つのノードのコンポーネントキャリアに対するキャリアアグリゲーション構成を含む、上記Ｃ５７に記載のコンピュータプログラム製品。
【図１】
0006258341.tif 000002
【図２Ａ】
0006258341.tif 000003
【図２Ｂ】
0006258341.tif 000004
【図３Ａ】
0006258341.tif 000005
【図３Ｂ】
0006258341.tif 000006
【図４】
0006258341.tif 000007
【図５】
0006258341.tif 000008
【図６】
0006258341.tif 000009
【図７Ａ】
0006258341.tif 000010
【図７Ｂ】
0006258341.tif 000011
【図８Ａ】
0006258341.tif 000012
【図８Ｂ】
0006258341.tif 000013
【図９】
0006258341.tif 000014
【図１０】
0006258341.tif 000015
【図１１】
0006258341.tif 000016
【図１２】
0006258341.tif 000017
【図１３】
0006258341.tif 000018
【図１４】
0006258341.tif 000019